(57)【要約】  マルチメディアファイル管理方法を提供する。当該方法は、電子デバイスが、電子デバイスに記憶された複数のマルチメディアファイルを予め設定されたルールに従って分類して、少なくとも第１のマルチメディアファイルセットを取得する段階（Ｓ２０１）と、電子デバイスが、第１のマルチメディアファイルセットにおける過去のユーザ操作の回数が最も多い１または複数のマルチメディアファイルを、第１のマルチメディアファイルセットのコーディネートファイルとして決定する段階（Ｓ２０３）と、電子デバイスが、コーディネートファイルと第１のマルチメディアファイルセットにおける別のマルチメディアファイルとを区別して表示するべく、コーディネートファイルに対して特別なマーキングを行う段階（Ｓ２０５）とを備える。当該方法によれば、マルチメディアファイル検索効率を向上することができる。
2019508784.tif 000002
【特許請求の範囲】
【請求項１】
電子デバイスに適用されるマルチメディアファイル管理方法であって、
前記電子デバイスに記憶された複数のマルチメディアファイルを予め設定されたルールに従って分類して、少なくとも第１のマルチメディアファイルセットを取得する段階であって、前記第１のマルチメディアファイルセットは、前記予め設定されたルールを満たす複数のマルチメディアファイルにそれぞれ対応するアイコンを含む、段階と、
前記第１のマルチメディアファイルセットにおける過去のユーザ操作の回数が最も多い１または複数のマルチメディアファイルを、前記第１のマルチメディアファイルセットのコーディネートファイルとして決定する段階と、
前記コーディネートファイルと前記第１のマルチメディアファイルセットにおける別のマルチメディアファイルとを区別して表示するべく、前記コーディネートファイルに対して特別なマーキングを行う段階と
を備える、方法。
【請求項２】
前記電子デバイスに記憶された複数のマルチメディアファイルを予め設定されたルールに従って分類する前記段階は、
前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記マルチメディアファイルの作成時期に従って、前記電子デバイスに記憶され、同じ月の同じ日に作成された複数のマルチメディアファイルを、マルチメディアファイルセットとしてグループ化するオペレーション、
前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記マルチメディアファイルの内容に従って、１または複数の指定オブジェクトを含む複数のマルチメディアファイルを、マルチメディアファイルセットとしてグループ化するオペレーション、または
前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを含む、
請求項１に記載の方法。
【請求項３】
前記コーディネートファイルと前記第１のマルチメディアファイルセットにおける別のマルチメディアファイルとを区別して表示するべく、前記コーディネートファイルに対して特別なマーキングを行う前記段階の後に、
前記過去のユーザ操作をマーキングするアイコンを前記コーディネートファイルに追加する段階
をさらに備える、請求項１または２に記載の方法。
【請求項４】
前記コーディネートファイルと前記第１のマルチメディアファイルセットにおける別のマルチメディアファイルとを区別して表示するべく、前記コーディネートファイルに対して特別なマーキングを行う前記段階の後に、
前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する段階、または
前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する段階
をさらに備える、請求項１から３のいずれか一項に記載の方法。
【請求項５】
前記第１のマルチメディアファイルセットにおける過去のユーザ操作の回数が最も多いマルチメディアファイルを、前記対象の分類ファイルのコーディネートファイルとして決定する前記段階は、
前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定する段階
を含む、
請求項１から４のいずれか一項に記載の方法。
【請求項６】
前記特別なマーキングは、具体的には、拡大による表示、フレームを追加した表示、マークを追加した表示、特別な色を用いた表示、特別なパターンを用いた表示、または動的な表示のうちの少なくとも１つである、
請求項１から５のいずれか一項に記載の方法。
【請求項７】
前記コーディネートファイルと前記第１のマルチメディアファイルセットにおける別のマルチメディアファイルとを区別して表示するべく、前記コーディネートファイルに対して特別なマーキングを行う前記段階は、
前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠す段階
を含む、
請求項１から５のいずれか一項に記載の方法。
【請求項８】
前記過去のユーザ操作は、具体的には、閲覧、編集、共有、マーキング、または使用のうちの少なくとも１つである、
請求項１から７のいずれか一項に記載の方法。
【請求項９】
分類ユニットと、取得ユニットと、決定ユニットと、管理ユニットとを備える電子デバイスであって、
前記分類ユニットは、電子デバイスに記憶された複数のマルチメディアファイルを予め設定されたルールに従って分類するよう構成され、
前記取得ユニットは、前記分類ユニットによる前記分類の結果に従って、少なくとも第１のマルチメディアファイルセットを取得するよう構成され、前記第１のマルチメディアファイルセットは、前記予め設定されたルールを満たす複数のマルチメディアファイルにそれぞれ対応するアイコンを含み、
前記決定ユニットは、前記第１のマルチメディアファイルセットにおける過去のユーザ操作の回数が最も多い１または複数のマルチメディアファイルを、前記第１のマルチメディアファイルセットのコーディネートファイルとして決定するよう構成され、
前記管理ユニットは、前記コーディネートファイルと前記第１のマルチメディアファイルセットにおける別のマルチメディアファイルとを区別して表示するべく、前記コーディネートファイルに対して特別なマーキングを行うよう構成される、
電子デバイス。
【請求項１０】
前記分類ユニットは、具体的には、
前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記マルチメディアファイルの作成時期に従って、前記電子デバイスに記憶され、同じ月の同じ日に作成された複数のマルチメディアファイルを、マルチメディアファイルセットとしてグループ化するオペレーション、
前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記マルチメディアファイルの内容に従って、１または複数の指定オブジェクトを含む複数のマルチメディアファイルを、マルチメディアファイルセットとしてグループ化するオペレーション、または
前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを行うよう構成される、
請求項９に記載の電子デバイス。
【請求項１１】
前記管理ユニットが、前記コーディネートファイルと前記第１のマルチメディアファイルセットにおける前記別のマルチメディアファイルとを区別して表示するべく、前記コーディネートファイルに対して特別なマーキングを行った後に、前記過去のユーザ操作をマーキングするアイコンを前記コーディネートファイルに追加するよう構成されたマーキングユニット
をさらに備える、請求項９または１０に記載の電子デバイス。
【請求項１２】
前記管理ユニットが、前記コーディネートファイルと前記第１のマルチメディアファイルセットにおける前記別のマルチメディアファイルとを区別して表示するべく、前記コーディネートファイルに対して特別なマーキングを行った後に、前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する、または
前記管理ユニットが、前記コーディネートファイルと前記第１のマルチメディアファイルセットにおける前記別のマルチメディアファイルとを区別して表示するべく、前記コーディネートファイルに対して特別なマーキングを行った後に、前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する
よう構成された類別ユニット
をさらに備える、請求項９から１１のいずれか一項に記載の電子デバイス。
【請求項１３】
前記決定ユニットは、具体的には、
前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定する
よう構成される、
請求項９から１２のいずれか一項に記載の電子デバイス。
【請求項１４】
前記特別なマーキングは、具体的には、拡大による表示、フレームを追加した表示、マークを追加した表示、特別な色を用いた表示、特別なパターンを用いた表示、または動的な表示のうちの少なくとも１つである、
請求項９から１３のいずれか一項に記載の電子デバイス。
【請求項１５】
前記管理ユニットは、具体的には、
前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠す
よう構成される、
請求項９から１３のいずれか一項に記載の電子デバイス。
【請求項１６】
前記過去のユーザ操作は、具体的には、閲覧、編集、共有、マーキング、または使用のうちの少なくとも１つである、
請求項９から１５のいずれか一項に記載の電子デバイス。
【請求項１７】
入力装置と、出力装置と、１または複数のプロセッサと、メモリと、１または複数のコンピュータプログラムとを備える電子デバイスであって、
前記１または複数のコンピュータプログラムは、前記メモリに記憶され、前記１または複数のプロセッサにより実行されるよう構成され、
前記１または複数のプロセッサは、前記電子デバイスに記憶された複数のマルチメディアファイルを予め設定されたルールに従って分類して、少なくとも第１のマルチメディアファイルセットを取得し、前記第１のマルチメディアファイルセットは、前記予め設定されたルールを満たす複数のマルチメディアファイルにそれぞれ対応するアイコンを含み、
前記１または複数のプロセッサは、前記第１のマルチメディアファイルセットにおける過去のユーザ操作の回数が最も多い１または複数のマルチメディアファイルを、前記第１のマルチメディアファイルセットのコーディネートファイルとして決定し、
前記１または複数のプロセッサは、前記コーディネートファイルと前記第１のマルチメディアファイルセットにおける別のマルチメディアファイルとを区別して表示するべく、前記コーディネートファイルに対して特別なマーキングを行う、
電子デバイス。
【請求項１８】
前記１または複数のプロセッサが、前記電子デバイスに記憶された複数のマルチメディアファイルを予め設定されたルールに従って分類することは、
前記１または複数のプロセッサが、前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記１または複数のプロセッサが、前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記１または複数のプロセッサが、前記マルチメディアファイルの作成時期に従って、前記電子デバイスに記憶され、同じ月の同じ日に作成された複数のマルチメディアファイルを、マルチメディアファイルセットとしてグループ化するオペレーション、
前記１または複数のプロセッサが、前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記１または複数のプロセッサが、前記マルチメディアファイルの内容に従って、１または複数の指定オブジェクトを含む複数のマルチメディアファイルを、マルチメディアファイルセットとしてグループ化するオペレーション、または
前記１または複数のプロセッサが、前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを含む、
請求項１７に記載の電子デバイス。
【請求項１９】
前記１または複数のプロセッサが、前記コーディネートファイルと前記第１のマルチメディアファイルセットにおける別のマルチメディアファイルとを区別して表示するべく、前記コーディネートファイルに対して特別なマーキングを行った後に、
前記１または複数のプロセッサは、前記過去のユーザ操作をマーキングするアイコンを前記コーディネートファイルに追加する、
請求項１７または１８に記載の電子デバイス。
【請求項２０】
前記１または複数のプロセッサが、前記コーディネートファイルと前記第１のマルチメディアファイルセットにおける前記別のマルチメディアファイルとを区別して表示するべく、前記コーディネートファイルに対して特別なマーキングを行った後に、
前記１または複数のプロセッサは、前記入力装置を用いて、前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する、または
前記１または複数のプロセッサは、前記入力装置を用いて、前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する、
請求項１７から１９のいずれか一項に記載の電子デバイス。
【請求項２１】
前記１または複数のプロセッサが、前記第１のマルチメディアファイルセットにおける過去のユーザ操作の回数が最も多いマルチメディアファイルを、前記対象の分類ファイルのコーディネートファイルとして決定することは、
前記１または複数のプロセッサが、前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定すること
を含む、
請求項１７から２０のいずれか一項に記載の電子デバイス。
【請求項２２】
前記特別なマーキングは、具体的には、拡大による表示、フレームを追加した表示、マークを追加した表示、特別な色を用いた表示、特別なパターンを用いた表示、または動的な表示のうちの少なくとも１つである、
請求項１７から２１のいずれか一項に記載の電子デバイス。
【請求項２３】
前記１または複数のプロセッサが、前記コーディネートファイルと前記第１のマルチメディアファイルセットにおける前記別のマルチメディアファイルとを区別して表示するべく、前記コーディネートファイルに対して特別なマーキングを行うことは、
前記１または複数のプロセッサが、前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠すこと
を含む、
請求項１７から２１のいずれか一項に記載の電子デバイス。
【請求項２４】
前記過去のユーザ操作は、具体的には、閲覧、編集、共有、マーキング、または使用のうちの少なくとも１つである、
請求項１７から２３のいずれか一項に記載の電子デバイス。
【請求項２５】
電子デバイス上のグラフィカルユーザインタフェースであって、
前記電子デバイスは、ディスプレイと、１または複数のユーザ入力デバイスと、メモリと、前記メモリに記憶された１または複数のコンピュータプログラムを実行するための１または複数のプロセッサとを含み、
前記グラフィカルユーザインタフェースは、第１のマルチメディアファイルを示す第１のマルチメディアファイルアイコンと、第２のマルチメディアファイルまたはフォルダを示す第２のマルチメディアファイルアイコンとを少なくとも含み、
前記第１のマルチメディアファイルアイコンは、第１の表示方式で前記ディスプレイ上に表示され、前記第２のマルチメディアファイルアイコンは、第２の表示方式で前記ディスプレイ上に表示され、前記第１の表示方式は、前記第２の表示方式とは異なり、
前記第２のマルチメディアファイルアイコンを前記第１のマルチメディアファイルアイコンと結合するためにユーザにより行われる結合操作が検出され、
前記結合操作が検出されたことに応答して、前記第１のマルチメディアファイルアイコンは依然として前記第１の表示方式で前記ディスプレイ上に表示されるが、前記第２のマルチメディアファイルアイコンの表示は停止される、
グラフィカルユーザインタフェース。
【請求項２６】
前記第１のマルチメディアファイルアイコンに対して前記ユーザにより行われるマーキング操作が検出されたことに応答して、過去のユーザ操作をマーキングするアイコンを前記ディスプレイ上に追加的に表示する機能
をさらに備える、
請求項２５に記載のグラフィカルユーザインタフェース。
【請求項２７】
前記第１の表示方式は、具体的には、拡大による表示、フレームを追加した表示、マークを追加した表示、特別な色を用いた表示、特別なパターンを用いた表示、または動的な表示のうちの少なくとも１つである、
請求項２５または２６に記載のグラフィカルユーザインタフェース。
【請求項２８】
前記第２のマルチメディアファイルアイコンを前記第１のマルチメディアファイルアイコンと結合する前記結合操作は、具体的には、前記第２のマルチメディアファイルアイコンを前記第１のマルチメディアファイルアイコンにドラッグすることである、
請求項２５から２７のいずれか一項に記載のグラフィカルユーザインタフェース。
【請求項２９】
前記第１のマルチメディアファイルアイコンに対するオープン操作は、具体的には、予め設定された条件を満たす押下操作、スライド操作、またはフロート操作のうちの少なくとも１つであり、前記オープン操作は、前記結合操作とは異なる、
請求項２５から２８のいずれか一項に記載のグラフィカルユーザインタフェース。
【請求項３０】
１または複数のコンピュータプログラムを記憶するコンピュータ可読記憶媒体であって、
前記１または複数のコンピュータプログラムは、命令を含み、
ディスプレイおよび１または複数のアプリケーションプログラムを含む電子デバイスは、前記命令が前記電子デバイスにより実行されると、請求項１から８のいずれか一項に記載の方法を行い、
前記ディスプレイは、タッチ感応面および表示パネルを含む、
コンピュータ可読記憶媒体。
【発明の詳細な説明】
【技術分野】
【０００１】
本発明は、電子デバイスの分野に関し、特にマルチメディアファイル管理方法、電子デバイス、およびグラフィカルユーザインタフェースに関する。
【背景技術】
【０００２】
現在、電子デバイスの記憶容量はますます大きくなっており、記憶可能なマルチメディアファイル（写真、音声、および動画など）の数が増えている。よって、マルチメディアファイルが効果的に管理される必要がある。現在、電子デバイスは、単一の方式で写真をソートして表示しており、撮影時期の順に写真をソートして表示するのが主である。例えば、図１を参照すると、図１は従来技術におけるギャラリーの概略画面図である。図１において、ギャラリー内の全写真（画面上には写真Ｐ１から写真Ｐ２４のみを表示しており、ユーザは画面をフリックしてギャラリー内の別の写真をブラウジングできる）が撮影時期の順にソートされて表示されている。対象の写真の撮影時期についてユーザの記憶が曖昧であると、通常、大量の写真から対象の写真を見つけるには比較的時間がかかる。その結果、写真の検索効率が比較的低くなってしまう。
【０００３】
従来技術において、電子デバイスはまた、写真をいくつかの分類方式で分類して表示する。例えば、地理的位置情報を用いることにより写真を分類して表示する、または顔認識機能を用いることにより人物の別に応じて写真を分類して表示する。しかしながら、写真の数が徐々に増えるにつれ、これら既存の単純な表示用分類方式は、写真をすばやく見つけるというユーザの要求事項を満たせなくなっており、これはユーザにとって不便である。
【発明の概要】
【０００４】
技術的課題を解決すべく、本発明の実施形態は、マルチメディアファイル管理方法、電子デバイス、グラフィカルユーザインタフェースを提供する。これによりユーザは、マルチメディアファイルを検索するときに、コーディネートファイルに従って所望のマルチメディアファイルをすばやく見つけ、それによってマルチメディアファイルの検索効率が向上し、ユーザに利便性がもたらされる。
【０００５】
第１の態様によれば、本発明は、サーバ（例えばクラウドサーバ）、または表示パネルを有する端末、例えば携帯電話、タブレット、ノートブックコンピュータ、パームトップコンピュータ、モバイルインターネットデバイス（ＭＩＤ、ｍｏｂｉｌｅ  Ｉｎｔｅｒｎｅｔ  ｄｅｖｉｃｅ）、もしくはウェアラブルデバイス（例えばスマートウォッチ（ｉＷａｔｃｈなど）もしくはスマートグラス）などの電子デバイスに適用されるマルチメディアファイル管理方法を提供し、方法は、電子デバイスに記憶された複数のマルチメディアファイルを予め設定されたルールに従って分類して、少なくとも第１のマルチメディアファイルセットを取得する段階であって、第１のマルチメディアファイルセットは、予め設定されたルールを満たす複数のマルチメディアファイルにそれぞれ対応するアイコンを含む、段階と、第１のマルチメディアファイルセットにおける過去のユーザ操作の回数が最も多い１または複数のマルチメディアファイルを、第１のマルチメディアファイルセットのコーディネートファイルとして決定する段階と、コーディネートファイルと第１のマルチメディアファイルセットにおける別のマルチメディアファイルとを区別して表示するべく、コーディネートファイルに対して特別なマーキングを行う段階とを備える。
【０００６】
電子デバイスは、記憶された複数のマルチメディアファイルを予め設定されたルールに従って分類して、各マルチメディアファイルセットを取得する。各マルチメディアファイルセットにおける複数のマルチメディアファイルは、少なくとも１つのルールを満たし、互いに関連する。第１のマルチメディアファイルセットにおいて、電子デバイスは、過去のユーザ操作の回数が最も多いマルチメディアファイルを第１のマルチメディアファイルセットのコーディネートファイルとして決定し、コーディネートファイルと第１のマルチメディアファイルセットにおける別のマルチメディアファイルとを区別して表示するべく、選択されたコーディネートファイルに対して特別なマーキングを行う。これは、ユーザがマルチメディアファイルを大量のマルチメディアファイルから検索するときに、ユーザが、過去の操作の回数が最も多いコーディネートファイルを検索の手掛かりとして用いることにより所望のマルチメディアファイルをすばやく見つける助けとなり、それによってマルチメディアファイルの検索効率が向上し、ユーザに利便性がもたらされる。
【０００７】
第１の態様によれば、第１の態様の第１の可能な実現形態において、電子デバイスに記憶された複数のマルチメディアファイルを予め設定されたルールに従って分類する段階は、マルチメディアファイルの作成時期に従って、電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、マルチメディアファイルが作成された地理的位置に関する情報に従って、電子デバイスに記憶され、同じ地理的位置情報を有する複数のマルチメディアファイルを、マルチメディアファイルセットとしてグループ化するオペレーション、マルチメディアファイルの作成時期に従って、電子デバイスに記憶され、同じ月の同じ日に作成された複数のマルチメディアファイルを、マルチメディアファイルセットとしてグループ化するオペレーション、マルチメディアファイルの作成時期に従って、電子デバイスに記憶され、作成時刻が第２の予め設定された期間内である複数のマルチメディアファイルを、マルチメディアファイルセットとしてグループ化するオペレーション、マルチメディアファイルの内容に従って、１または複数の指定オブジェクトを含む複数のマルチメディアファイルを、マルチメディアファイルセットとしてグループ化するオペレーション、またはマルチメディアファイルのラベルに従って、電子デバイスに記憶され、同じラベルを有する複数のマルチメディアファイルを、マルチメディアファイルセットとしてグループ化するオペレーションのうちの少なくとも１つを含む。
【０００８】
電子デバイスは、記憶された複数のマルチメディアファイルを上述の異なる分類ルールに従って分類して、１または複数のマルチメディアファイルセットを取得し、各マルチメディアファイルセットにおける複数のマルチメディアファイルは互いに関連しており、これによりユーザは、マルチメディアファイルを検索するときに、マルチメディアファイル間の相関に従って所望のマルチメディアファイルをすばやく見つける。
【０００９】
第１の態様または第１の態様の第１の可能な実現形態によれば、第１の態様の第２の可能な実現形態において、方法は、コーディネートファイルと第１のマルチメディアファイルセットにおける別のマルチメディアファイルとを区別して表示するべく、コーディネートファイルに対して特別なマーキングを行う段階の後に、過去のユーザ操作をマーキングするアイコンをコーディネートファイルに追加する段階をさらに備える。当該アイコンがコーディネートファイルに追加されることにより、コーディネートファイルに関する情報を充実させることができ、ユーザによる検索のための手掛かりをさらに提供することができる。これは、ユーザが所望のマルチメディアファイルをよりすばやく見つける助けとなり、ユーザに利便性をもたらす。
【００１０】
第１の態様、または第１の態様の上述の可能な実現形態のいずれか１つによれば、第１の態様の第３の可能な実現形態において、方法は、コーディネートファイルと第１のマルチメディアファイルセットにおける別のマルチメディアファイルとを区別して表示するべく、コーディネートファイルに対して特別なマーキングを行う段階の後に、第１のマルチメディアファイルセットに属さない１または複数の対象マルチメディアファイルに対してユーザにより行われる操作を受け取り、当該操作が予め設定された第１の操作を満たす場合、１または複数の対象マルチメディアファイルを第１のマルチメディアファイルセットとしてグループ化する段階、または、第１のマルチメディアファイルセットにおける１または複数の対象マルチメディアファイルに対してユーザにより行われる操作を受け取り、当該操作が予め設定された第２の操作を満たす場合、１または複数の対象マルチメディアファイルが第１のマルチメディアファイルセットとしてグループ化されなくなるよう、１または複数の対象マルチメディアファイルを第１のマルチメディアファイルセットから分離する段階をさらに備える。
【００１１】
電子デバイスが、複数のマルチメディアファイルを分類した後、ユーザは、分類結果を手動でさらに調整してよく、これにより電子デバイスのインテリジェント分類の不都合点が改善され、ユーザの個人的な要求事項が満たされる。
【００１２】
第１の態様、または第１の態様の上述の可能な実現形態のいずれか１つによれば、第１の態様の第４の可能な実現形態において、第１のマルチメディアファイルセットにおける過去のユーザ操作の回数が最も多いマルチメディアファイルを、対象の分類ファイルのコーディネートファイルとして決定する段階は、第１のマルチメディアファイルセットにおける過去のユーザ操作の回数が最も多いマルチメディアファイルが複数ある場合に、マルチメディアファイルの作成時期に従って、最も中間のマルチメディアファイルを第１のマルチメディアファイルセットのコーディネートファイルとして決定する段階を含む。電子デバイスは、作成時期が最も中間であるマルチメディアファイルを、第１のマルチメディアファイルセットのコーディネートファイルとして決定する。これは、ユーザがコーディネートファイルに基づいて所望のマルチメディアファイルを見つける助けとなる。
【００１３】
第１の態様、または第１の態様の上述の可能な実現形態のいずれか１つによれば、第１の態様の第５の可能な実現形態において、特別なマーキングは、具体的には、拡大による表示、フレームを追加した表示、マークを追加した表示、特別な色を用いた表示、特別なパターンを用いた表示、または動的な表示のうちの少なくとも１つである。コーディネートファイルは、第１の表示方式でハイライトされ、これによりユーザは、マルチメディアファイルをブラウジングするときに、コーディネートファイルを明確に視認する。
【００１４】
第１の態様、第１の態様の第１の可能な実現形態、第１の態様の第２の可能な実現形態、第１の態様の第３の可能な実現形態、または第１の態様の第４の可能な実現形態によれば、第１の態様の第６の可能な実現形態において、コーディネートファイルと第１のマルチメディアファイルセットにおける別のマルチメディアファイルとを区別して表示するべく、コーディネートファイルに対して特別なマーキングを行う段階は、コーディネートファイルとコーディネートファイルの属するマルチメディアファイルセットにおける別のマルチメディアファイルを区別して表示するべく、コーディネートファイル以外の第１のマルチメディアファイルセットにおける別のマルチメディアファイルをコーディネートファイルの下に隠す段階を含む。コーディネートファイルは電子デバイスの画面上に表示され、コーディネートファイル以外の別のマルチメディアファイルはコーディネートファイルの下に隠れ、これにより、コーディネートファイルとコーディネートファイルの属するマルチメディアファイルセットにおける別のマルチメディアファイルとが、スタック集合方式で表示される。これによって電子デバイスの画面の表示方式を最適化することができ、これにより、画面がより簡潔になり、ユーザがマルチメディアファイルをブラウジングする効率が向上する。
【００１５】
第１の態様、または第１の態様の上述の可能な実現形態のいずれか１つによれば、第１の態様の第７の可能な実現形態において、過去のユーザ操作は、具体的には、閲覧、編集、共有、マーキング、または使用のうちの少なくとも１つである。
【００１６】
第１の態様、または第１の態様の上述の可能な実現形態のいずれか１つによれば、第１の態様の第８の可能な実現形態において、第１のマルチメディアファイルセットは、フォルダであり、当該フォルダのアイコンは、コーディネートファイルのアイコンである。ユーザは、コーディネートファイルを用いることで、ユーザが検索したいマルチメディアファイルがコーディネートファイルに関連するか否かを把握することができ、次いでコーディネートファイルが、ユーザによる検索の手掛かりを提供するのに用いられる。
【００１７】
第２の態様によれば、本発明は、電子デバイスを提供し、電子デバイスは、上述のマルチメディアファイル管理方法を行うよう構成され、電子デバイスは、上述のマルチメディアファイル管理方法を行うためのモジュールまたはユニットを備える。
【００１８】
電子デバイスは、記憶された複数のマルチメディアファイルを予め設定されたルールに従って分類して、各マルチメディアファイルセットを取得する。各マルチメディアファイルセットにおける複数のマルチメディアファイルは、少なくとも１つのルールを満たし、互いに関連する。第１のマルチメディアファイルセットにおいて、電子デバイスは、過去のユーザ操作の回数が最も多いマルチメディアファイルを第１のマルチメディアファイルセットのコーディネートファイルとして決定し、コーディネートファイルと第１のマルチメディアファイルセットにおける別のマルチメディアファイルとを区別して表示するべく、選択されたコーディネートファイルに対して特別なマーキングを行う。これは、ユーザがマルチメディアファイルを大量のマルチメディアファイルから検索するときに、ユーザが、過去の操作の回数が最も多いコーディネートファイルを検索の手掛かりとして用いることにより所望のマルチメディアファイルをすばやく見つける助けとなり、それによってマルチメディアファイルの検索効率が向上し、ユーザに利便性がもたらされる。加えて、電子デバイスが、複数のマルチメディアファイルを分類した後、ユーザは、分類結果を手動でさらに調整してよく、これにより電子デバイスのインテリジェント分類の不都合点が改善され、ユーザの個人的な要求事項が満たされる。
【００１９】
第３の態様によれば、本発明は、電子デバイスを提供し、電子デバイスは、入力装置と、出力装置と、１または複数のプロセッサと、メモリと、１または複数のコンピュータプログラムとを備え、１または複数のコンピュータプログラムは、メモリに記憶され、１または複数のプロセッサにより実行されるよう構成され、１または複数のプロセッサは、上述のマルチメディアファイル管理方法を行うよう構成される。
【００２０】
電子デバイスは、記憶された複数のマルチメディアファイルを予め設定されたルールに従って分類して、各マルチメディアファイルセットを取得する。各マルチメディアファイルセットにおける複数のマルチメディアファイルは、少なくとも１つのルールを満たし、互いに関連する。第１のマルチメディアファイルセットにおいて、電子デバイスは、過去のユーザ操作の回数が最も多いマルチメディアファイルを第１のマルチメディアファイルセットのコーディネートファイルとして決定し、コーディネートファイルと第１のマルチメディアファイルセットにおける別のマルチメディアファイルとを区別して表示するべく、選択されたコーディネートファイルに対して特別なマーキングを行う。これは、ユーザがマルチメディアファイルを大量のマルチメディアファイルから検索するときに、ユーザが、過去の操作の回数が最も多いコーディネートファイルを検索の手掛かりとして用いることにより所望のマルチメディアファイルをすばやく見つける助けとなり、それによってマルチメディアファイルの検索効率が向上し、ユーザに利便性がもたらされる。加えて、電子デバイスが、複数のマルチメディアファイルを分類した後、ユーザは、分類結果を手動でさらに調整してよく、これにより電子デバイスのインテリジェント分類の不都合点が改善され、ユーザの個人的な要求事項が満たされる。
【００２１】
第４の態様によれば、本発明は、電子デバイス上のグラフィカルユーザインタフェースを提供し、電子デバイスは、ディスプレイと、１または複数のユーザ入力デバイスと、メモリと、メモリに記憶された１または複数のコンピュータプログラムを実行するための１または複数のプロセッサとを含み、グラフィカルユーザインタフェースは、第１のマルチメディアファイルを示す第１のマルチメディアファイルアイコンと、第２のマルチメディアファイルまたはフォルダを示す第２のマルチメディアファイルアイコンとを少なくとも含む。
【００２２】
第１のマルチメディアファイルアイコンは、第１の表示方式でディスプレイ上に表示され、第２のマルチメディアファイルアイコンは、第２の表示方式でディスプレイ上に表示され、第１の表示方式は、第２の表示方式とは異なり、第２のマルチメディアファイルアイコンを第１のマルチメディアファイルアイコンと結合するためにユーザにより行われる結合操作が検出され、結合操作が検出されたことに応答して、第１のマルチメディアファイルアイコンは依然として第１の表示方式でディスプレイ上に表示されるが、第２のマルチメディアファイルアイコンの表示は停止される。異なるマルチメディアファイルを区別して表示することができ、これによりユーザは、所望のマルチメディアファイルをそれに従って閲覧し、マルチメディアファイルアイコンを利便性よくかつすばやく管理および分類することができる。このようにして、グラフィカルユーザインタフェースの表示方式が最適化され、グラフィカルユーザインタフェースがより簡潔になる。
【００２３】
第４の態様によれば、第４の態様の第１の可能な実現形態において、グラフィカルユーザインタフェースは、第１のマルチメディアファイルアイコンに対してユーザにより行われるマーキング操作が検出されたことに応答して、過去のユーザ操作をマーキングするアイコンをディスプレイ上に追加的に表示する機能をさらに備える。これは、ユーザが第１のマルチメディアファイルに関する詳細な情報を把握する助けとなり、またはユーザがアイコンを第１のマルチメディアファイルに利便性よくかつすばやく追加する助けとなり、それにより、ユーザが後に第１のマルチメディアファイルに関する詳細な情報を閲覧する助けとなる。
【００２４】
第４の態様、または第４の態様の第１の可能な実現形態によれば、第４の態様の第２の可能な実現形態において、第１の表示方式は、具体的には、拡大による表示、フレームを追加した表示、マークを追加した表示、特別な色を用いた表示、特別なパターンを用いた表示、または動的な表示のうちの少なくとも１つである。コーディネートファイルは、第１の表示方式でハイライトされ、これによりユーザは、マルチメディアファイルをブラウジングするときに、コーディネートファイルを明確に視認する。
【００２５】
第４の態様、または第４の態様の上述の可能な実現形態のいずれか１つによれば、第４の態様の第３の可能な実現形態において、第２のマルチメディアファイルアイコンを第１のマルチメディアファイルアイコンと結合する結合操作は、具体的には、第２のマルチメディアファイルアイコンを第１のマルチメディアファイルアイコンにドラッグすることである。マルチメディアファイルアイコンは、ドラッグ方式で利便性よくかつすばやく結合される。
【００２６】
第４の態様、または第４の態様の上述の可能な実現形態のいずれか１つによれば、第４の態様の第４の可能な実現形態において、第１のマルチメディアファイルアイコンに対するオープン操作は、具体的には、予め設定された条件を満たす押下操作、スライド操作、またはフロート操作のうちの少なくとも１つであり、オープン操作は結合操作とは異なる。結合されたマルチメディアファイルアイコンは、押下操作、スライド操作、またはフロート操作等を行うことにより、利便性よくかつすばやくオープンされる。
【００２７】
第５の態様によれば、本発明は、コンピュータ可読記憶媒体を提供し、コンピュータ可読記憶媒体は、１または複数のコンピュータプログラムを記憶し、１または複数のコンピュータプログラムは、命令を含み、ディスプレイおよび１または複数のアプリケーションプログラムを含む電子デバイスは、命令が電子デバイスにより実行されると、上述のマルチメディアファイル管理方法を行い、ディスプレイは、タッチ感応面および表示パネルを含む。
【００２８】
電子デバイスは、コンピュータプログラムを実行することにより、記憶された複数のマルチメディアファイルを予め設定されたルールに従って分類して、各マルチメディアファイルセットを取得する。各マルチメディアファイルセットにおける複数のマルチメディアファイルは、少なくとも１つのルールを満たし、互いに関連する。第１のマルチメディアファイルセットにおいて、電子デバイスは、過去のユーザ操作の回数が最も多いマルチメディアファイルを第１のマルチメディアファイルセットのコーディネートファイルとして決定し、コーディネートファイルと第１のマルチメディアファイルセットにおける別のマルチメディアファイルとを区別して表示するべく、選択されたコーディネートファイルに対して特別なマーキングを行う。これは、ユーザがマルチメディアファイルを大量のマルチメディアファイルから検索するときに、ユーザが、過去の操作の回数が最も多いコーディネートファイルを検索の手掛かりとして用いることにより所望のマルチメディアファイルをすばやく見つける助けとなり、それによってマルチメディアファイルの検索効率が向上し、ユーザに利便性がもたらされる。加えて、電子デバイスが、複数のマルチメディアファイルを分類した後、ユーザは、分類結果を手動でさらに調整してよく、これにより電子デバイスのインテリジェント分類の不都合点が改善され、ユーザの個人的な要求事項が満たされる。
【００２９】
上述した本発明の態様は、以下の複数の実施形態の説明において、より明確かつより理解が容易になる。
【図面の簡単な説明】
【００３０】
本発明の実施形態における、または従来技術における技術的解決手段をより明確に説明すべく、以下、実施形態または従来技術を説明するために必要な添付の図面について簡潔に説明する。以下の説明における添付の図面は、本発明の一部の実施形態を示すものに過ぎず、当業者であれば、これら添付の図面から創造的努力なく他の図面をさらに導き出し得ることは明らかである。
【００３１】
【図１】従来技術におけるギャラリーの概略画面図である。
【００３２】
【図２Ａ】本発明の一実施形態に係るマルチメディアファイル管理方法の概略フローチャートである。
【００３３】
【図２Ｂ】本発明の一実施形態に係る撮影された写真の数および時間の座標の概略図である。
【００３４】
【図２Ｃ】本発明の一実施形態に係るギャラリーの概略画面図である。
【００３５】
【図２Ｄ】本発明の一実施形態に係る別のギャラリーの概略画面図である。
【００３６】
【図２Ｅ】本発明の一実施形態に係る別のギャラリーの概略画面図である。
【００３７】
【図３Ａ】本発明の一実施形態に係る別のマルチメディアファイル管理方法の概略フローチャートである。
【００３８】
【図３Ｂ】本発明の一実施形態に係る別のギャラリーの概略画面図である。
【００３９】
【図３Ｃ】本発明の一実施形態に係る別のギャラリーの概略画面図である。
【００４０】
【図３Ｄ】本発明の一実施形態に係る別のギャラリーの概略画面図である。
【００４１】
【図３Ｅ】本発明の一実施形態に係る別のギャラリーの概略画面図である。
【００４２】
【図３Ｆ】本発明の一実施形態に係る別のギャラリーの概略画面図である。
【００４３】
【図４Ａ】本発明の一実施形態に係る別のマルチメディアファイル管理方法の概略フローチャートである。
【００４４】
【図４Ｂ】本発明の一実施形態に係る別のギャラリーの概略画面図である。
【００４５】
【図４Ｃ】本発明の一実施形態に係る別のギャラリーの概略画面図である。
【００４６】
【図４Ｄ】本発明の一実施形態に係る別のギャラリーの概略画面図である。
【００４７】
【図５Ａ】本発明の一実施形態に係る電子デバイスの概略構造図である。
【００４８】
【図５Ｂ】本発明の一実施形態に係る別の電子デバイスの概略構造図である。
【００４９】
【図５Ｃ】本発明の一実施形態に係る別の電子デバイスの概略構造図である。
【００５０】
【図６】本発明の一実施形態に係る別の電子デバイスの概略構造図である。
【００５１】
【図７Ａ】本発明の一実施形態に係るグラフィカルユーザインタフェースの概略図である。
【００５２】
【図７Ｂ】本発明の一実施形態に係る別のグラフィカルユーザインタフェースの概略図である。
【００５３】
【図７Ｃ】本発明の一実施形態に係る別のグラフィカルユーザインタフェースの概略図である。
【００５４】
【図７Ｄ】本発明の一実施形態に係る別のグラフィカルユーザインタフェースの概略図である。
【００５５】
【図７Ｅ】本発明の一実施形態に係る別のグラフィカルユーザインタフェースの概略図である。
【００５６】
【図７Ｆ】本発明の一実施形態に係る別のグラフィカルユーザインタフェースの概略図である。
【発明を実施するための形態】
【００５７】
以下、本発明の実施形態における添付の図面を参照して、本発明の実施形態における技術的解決手段を明確かつ完全に説明する。説明される実施形態は、本発明の実施形態の一部に過ぎず、全てでないことは明らかである。当業者により、本発明の実施形態に基づいて創造的努力なく得られる全ての他の実施形態が、本発明の保護範囲に属するものとする。
【００５８】
以下の実施形態で説明される電子デバイスは、サーバ（例えばクラウドサーバ）、または表示パネルを有する端末、例えば携帯電話、タブレットコンピュータ、ノートブックコンピュータ、パームトップコンピュータ、モバイルインターネットデバイス、もしくはウェアラブルデバイス（例えばスマートウォッチ（ｉＷａｔｃｈなど）もしくはスマートグラス）を含むが、これらに限定されない。「複数」は、少なくとも２つの事項、すなわち２つまたはそれより多くの事項を説明するのに用いられる。
【００５９】
図２Ａを参照すると、図２Ａは、本発明の一実施形態に係るマルチメディアファイル管理方法の概略フローチャートである。マルチメディアファイル管理方法は電子デバイスに適用され、当該方法は以下の段階を含むが、これらに限定されない。
【００６０】
Ｓ２０１。電子デバイスは、電子デバイスに記憶された複数のマルチメディアファイルを予め設定されたルールに従って分類して、少なくとも第１のマルチメディアファイルセットを取得する。第１のマルチメディアファイルセットは、当該予め設定されたルールを満たす複数のマルチメディアファイルにそれぞれ対応するアイコンを含む。
【００６１】
具体的には、電子デバイスは、電子デバイスに記憶された複数のマルチメディアファイルを予め設定されたルールに従って分類して、１または複数のマルチメディアファイルセットを取得する。当該１または複数のマルチメディアファイルセットは、第１のマルチメディアファイルセットを含み、当該「複数の」マルチメディアファイルは、少なくとも２つのマルチメディアファイルを含む。予め設定されたルールは、１つまたは複数であってよい。予め設定されたルールが１つであるとき、電子デバイスは、電子デバイスに記憶された複数のマルチメディアファイルを分類した後に、１または複数のマルチメディアファイルセットを取得してよい。予め設定されたルールが複数あるときも、電子デバイスは、電子デバイスに記憶された複数のマルチメディアファイルを分類した後に、１または複数のマルチメディアファイルセットを取得してよい。あるマルチメディアファイルセットについて、当該マルチメディアファイルセットに含まれる複数のマルチメディアファイルは、少なくとも１つの共通する特徴を有する。よって、当該マルチメディアファイルセットにおける複数のマルチメディアファイルは、互いに関連する。電子デバイスが、電子デバイスに記憶された複数のマルチメディアファイルを分類するオペレーションは、電子デバイスによって自動的に行われてもよく、またはユーザにより入力される分類命令を電子デバイスが受け取った後に電子デバイスによって行われてもよい。これは、本発明の本実施形態において具体的に限定されない。マルチメディアファイルは、写真、ピクチャ、音声、動画、および文書等を含むが、これらに限定されない。アイコンは、写真に対応するサムネイル、ピクチャに対応するサムネイル、音声ファイルに対応するアイコン、動画ファイルに対応するピクチャ、および文書に対応するアイコン等を含むが、これらに限定されない。
【００６２】
電子デバイスが、電子デバイスに記憶された複数のマルチメディアファイルを分類した後、ギャラリー（クラウドアルバム（複数のマルチメディアファイルが端末によって分類された後にクラウドに同期される、または複数のマルチメディアファイルが直接クラウド内で分類される）、およびローカルアルバム等を含む）、またはフォルダなどのマルチメディアファイル記憶領域に含まれる複数のマルチメディアファイルが、分類結果に従って表示されてよい。よって、ギャラリーまたはフォルダなどのマルチメディアファイル記憶領域における複数のマルチメディアファイルの表示方式を最適化することができ、これによりユーザは、分類された表示方式で所望のマルチメディアファイルをよりすばやく見つける。
【００６３】
なお、以下のことに留意されたい。第１のマルチメディアファイルセットは、フォルダであってよい。すなわち、電子デバイスは、電子デバイスに記憶された複数のマルチメディアファイルを分類した後、同じ分類に属する複数のマルチメディアファイルにそれぞれ対応するアイコンを、分類による表示のためにフォルダに追加し、当該フォルダは、予め設定されたルールを満たす複数のマルチメディアファイルにそれぞれ対応するアイコンを含む。または、第１のマルチメディアファイルセットは、予め設定されたルールを満たす複数のマルチメディアファイルにそれぞれ対応するアイコンのセットであってよい。すなわち、電子デバイスは、電子デバイスに記憶された複数のマルチメディアファイルを分類した後、同じ分類に属する複数のマルチメディアファイルにそれぞれ対応するアイコンを、分類による表示のために集める。２つの隣接するマルチメディアファイルセットの間には、分類を示す線があってもよく、なくてもよい。これは、本発明の本実施形態において具体的に限定されない。
【００６４】
例えば、電子デバイスは６つの写真Ｐ１、Ｐ２、Ｐ３、Ｐ４、Ｐ５、およびＰ６を記憶し、予め設定されたルールは１つである。予め設定されたルールが、撮影が行われた月に従って分類を行うことである場合、電子デバイスは、当該予め設定されたルールに従って分類を行い、写真セット１（写真Ｐ１、Ｐ２、およびＰ３を含む）および写真セット２（写真Ｐ４、Ｐ５、およびＰ６を含む）の２つの写真セットを取得する。写真セット１における３つの写真Ｐ１、Ｐ２、およびＰ３は、当該予め設定されたルールを満たす写真セットである。例えば、これら３つの写真全てが、２０１５年１月に撮影されたものである。写真セット２における３つの写真Ｐ４、Ｐ５、およびＰ６は、当該予め設定されたルールを満たす別の写真セットである。例えば、これら３つの写真全てが、２０１５年３月に撮影されたものである。本発明の本実施形態における第１のマルチメディアファイルセットは、写真セット１または写真セット２であってよい。
【００６５】
任意選択的に、電子デバイスに記憶された複数のマルチメディアファイルを予め設定されたルールに従って分類することは、マルチメディアファイルの作成時期に従って、電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、マルチメディアファイルが作成された地理的位置に関する情報に従って、電子デバイスに記憶され、同じ地理的位置情報を有する複数のマルチメディアファイルを、マルチメディアファイルセットとしてグループ化するオペレーション、マルチメディアファイルの作成時期に従って、電子デバイスに記憶され、同じ月の同じ日に作成された複数のマルチメディアファイルを、マルチメディアファイルセットとしてグループ化するオペレーション、マルチメディアファイルの作成時期に従って、電子デバイスに記憶され、作成時刻が第２の予め設定された期間内である複数のマルチメディアファイルを、マルチメディアファイルセットとしてグループ化するオペレーション、マルチメディアファイルの内容に従って、１または複数の指定オブジェクトを含む複数のマルチメディアファイルを、マルチメディアファイルセットとしてグループ化するオペレーション、またはマルチメディアファイルのラベルに従って、電子デバイスに記憶され、同じラベルを有する複数のマルチメディアファイルを、マルチメディアファイルセットとしてグループ化するオペレーションのうちの少なくとも１つを含む。
【００６６】
本発明の本実施形態における予め設定されたルールは、上述した６つの分類方式に限定されないことに留意されたい。ユーザがルールをカスタマイズしてもよい。例えば、写真については、電子デバイスに記憶された複数の写真が、アパーチャ、シャッター速度、フィルタの種類、または焦点距離などのパラメータに従って分類されてよい。動画については、電子デバイスに記憶された複数の動画が、録画中に用いられるソフトウェアの種類、録画時間、または動画内で用いられる言語等に従って分類されてよい。
【００６７】
具体的には、第１の分類方式において、電子デバイスは、同じ日に作成され、第１の予め設定された期間における作成数が予め設定された条件を満たす複数のマルチメディアファイル（例えば、連続撮影された写真または連続録画された動画）を、マルチメディアファイルセットとしてグループ化する。第１の予め設定された期間は、連続する１５分、連続する２時間、または連続する３時間等であってもよく、第１の予め設定された期間は、少なくとも１５分、少なくとも１時間、または少なくとも２時間等であってもよく、または第１の予め設定された期間は、特定の２つの時刻を用いて決定される期間、例えば１４：００：００〜１４：２０：００または１５：００：００〜１６：００：００であってもよい。予め設定された条件は、第１の予め設定された期間における各時刻（時−分−秒）に作成されたマルチメディアファイルの数が、第１の予め設定された値以上であることであってよく、第１の予め設定された値は、５、１０、または１５等であってよい。代替的に、予め設定された条件は、第１の予め設定された期間に作成されたマルチメディアファイルの総数が、第２の予め設定された値以上であることであってよく、第２の予め設定された値は、２０、３０、または５０等であってよい。写真の例において、図２Ｂを参照すると、図２Ｂは、本発明の一実施形態に係る撮影された写真の数および時間の座標軸の概略図である。図２Ｂは、撮影された写真の数および時間の線グラフである。横軸は、ある日（例えば２０１５年１月１日）の各時刻（線グラフ上では全ての時刻をマーキングしてはいない）に対応する。縦軸は、各時刻に撮影された写真の数を表す。予め設定された条件は、少なくとも２０分間の全時刻に対応する数が予め設定された値５に達する複数の写真が、写真セット（すなわちマルチメディアファイルセット）として分類されることである。図２Ｂから、連続する２０分である１４：２５：００〜１４：４５：００の期間における１４：２５：００、１４：３０：００、１４：３５：００、１４：４０：００、および１４：４５：００の５つの時刻に対応する撮影された写真の数が、それぞれ７、１５、２０、１２、および５であることがわかる。当該期間における全時刻に対応する撮影された写真の数は、予め設定された値５以上である（すなわち、当該期間に対応する曲線上の全ての点における撮影数が、予め設定された値に達する）。よって、電子デバイスは、１４：２５：００〜１４：４５：００の期間に撮影された全ての写真を、写真セットとして分類する。写真の別の例において、ユーザが２０１５年１月１日の連続する２時間に連続撮影を行い、この連続する２時間が、具体的には２０１５年１月１日の１４：３０：００〜１６：３０：００であり、撮影された写真の総数が、予め設定された値３０以上の５０である場合、電子デバイスは、２０１５年１月１日の１４：３０：００〜１６：３０：００に連続撮影されたこの５０の写真を写真セットとして分類する。ユーザが２０１５年３月３日の連続する３時間に連続撮影をさらに行い、この連続する３時間が、具体的には２０１５年３月３日の１２：００：００〜１５：００：００であり、撮影された写真の総数が、予め設定された値３０以上の７０である場合、電子デバイスは、２０１５年３月３日の１２：００：００〜１５：００：００に連続撮影されたこの７０の写真を別の写真セットとして分類する。ユーザが旅行中である、またはパーティーもしくはミーティングなどのアクティビティに参加しているとき、この連続撮影オペレーションは、同じ日のある期間に行われる。ユーザにとって、連続作成される複数のマルチメディアファイルは通常互いに関連しており、ユーザは、連続作成された複数のマルチメディアファイルにおけるマルチメディアファイルから、同じ期間に作成された別のマルチメディアファイルを連想し得る。よって、この分類方式は、ユーザがマルチメディアファイルを検索するときに、ユーザに検索の手掛かりを提供し得る。
【００６８】
第２の分類方式において、電子デバイスは、同じ地理的位置情報を有する複数のマルチメディアファイルをマルチメディアファイルセットとしてグループ化する。写真の例において、地理的位置情報は、撮影位置であってよい。撮影位置は、行政上の地域に従って分類されてよい。例えば、撮影位置が広東省に属する複数の写真が写真セットとして分類され、撮影位置が浙江省に属する複数の写真が別の写真セットとして分類される、または、撮影位置が広東省深セン市に属する複数の写真が写真セットとして分類され、撮影位置が浙江省杭州市に属する複数の写真が別の写真セットとして分類される。代替的に、撮影位置は、地区および県に従ってさらに分類されてよい。例えば、撮影位置が広東省深セン市福田区に属する複数の写真が写真セットとして分類され、撮影位置が広東省深セン市南山区に属する複数の写真が別の写真セットとして分類される。代替的に、撮影位置は、特定の所番地情報であってよい。例えば、撮影位置が広東省深セン市南山区第１街道１号に属する複数の写真が写真セットとして分類され、撮影位置が広東省深セン市南山区第２街道１号に属する複数の写真が別の写真セットとして分類される。代替的に、撮影位置は、例えば深セン信興広場、深セン大梅沙海浜公園、および深セン大学といった他の地理的位置情報であってよい。撮影位置が深セン信興広場に属する複数の写真が写真セットとして分類され、撮影位置が深セン大梅沙海浜公園に属する複数の写真が別の写真セットとして分類され、撮影位置が深セン大学に属する複数の写真が別の写真セットとして分類される。代替的に、撮影位置は、ＧＰＳ位置情報に従って分類されてよく、具体的には経度および緯度情報であってよい。例えば、撮影位置が東経１１３°４６'〜１１４°３７'かつ北緯２２°２７'〜２２°５２'に属する複数の写真が写真セットとして分類され、撮影位置が東経１１４°４２'〜１１５°２２'かつ北緯２５°２６'〜２６°１７'に属する複数の写真が別の写真セットとして分類される。代替的に、撮影位置は、距離に従って分類されてよく、予め設定された距離範囲内の複数の位置が、同じ撮影位置とみなされる。例えば、予め設定された距離は２０キロメートルであり、撮影位置が２０キロメートルの範囲内にある複数の写真が、写真セットとして分類される。ユーザにとって、同じ地理的位置情報を有する複数のマルチメディアファイルは通常互いに関連しており、ユーザは、同じ地理的位置情報を有する複数のマルチメディアファイルにおけるマルチメディアファイルから、同じ地理的位置で作成された別のマルチメディアファイルを連想し得る。よって、この分類方式は、ユーザがマルチメディアファイルを検索するときに、ユーザに検索の手掛かりを提供し得る。
【００６９】
第３の分類方式において、電子デバイスは、同じ日に、または異なる年のいくつかの同じ日に作成された複数のマルチメディアファイルを、マルチメディアファイルセットとしてグループ化する。当該異なる年は、連続するＭ（Ｍ≧２）個の年であってもよく、または連続しないＭ（Ｍ≧２）個の年であってよい。例えば、連続する２つの年（２０１４年および２０１５年）の同じ日（１月１日）において、ユーザがＮ（Ｎ≧１）個の写真（２０１４年１月１日に撮影された写真の数は、２０１５年１月１日に撮影された写真の数と同じであっても異なっていてもよく、これは本発明の本実施形態において具体的に限定されない）を撮影した場合、電子デバイスは、この日（すなわち１月１日）がユーザにとって特別であると見なし、電子デバイスは、２０１４年１月１日に撮影された写真および２０１５年１月１日に撮影された写真をマルチメディアファイルセットとしてグループ化する。連続しない３つの年（２０１２年、２０１３年、および２０１５年）の同じ日（３月３日）において、ユーザがＮ（Ｎ≧１）個の写真（２０１２年３月３日に撮影された写真の数と、２０１３年３月３日に撮影された写真の数と、２０１５年３月３日に撮影された写真の数とは、同じであっても異なっていてもよく、これは本発明の本実施形態において具体的に限定されない）を撮影し、Ｑ（Ｑ≧１）個の動画（２０１２年３月３日に録画された動画の数と、２０１３年３月３日に録画された動画の数と、２０１５年３月３日に録画された動画の数とは、同じであっても異なっていてもよく、これは本発明の本実施形態において具体的に限定されない）を録画した場合、電子デバイスは、２０１２年３月３日に撮影された写真、２０１２年３月３日に録画された動画、２０１３年３月３日に撮影された写真、２０１３年３月３日に録画された動画、２０１５年３月３日に撮影された写真、および２０１５年３月３日に録画された動画を、別のマルチメディアファイルセットとして分類する。ユーザにとって、同じ日に、または異なる年のいくつかの同じ日に作成された複数のマルチメディアファイルは通常互いに関連しており、ユーザは、当該マルチメディアファイルセットにおけるマルチメディアファイルから、同じ日またはいくつかの同じ日に当該マルチメディアファイルと共に作成された他のマルチメディアファイルを連想し得る。よって、この分類方式は、ユーザがマルチメディアファイルを検索するときに、ユーザに検索の手掛かりを提供し得る。
【００７０】
第４の分類方式において、電子デバイスは、同じ日または異なる日における第２の予め設定された期間に作成された複数のマルチメディアファイルを、マルチメディアファイルセットとしてグループ化する。すなわち、電子デバイスは、規則的な期間または時刻の複数のマルチメディアファイルをマルチメディアファイルセットとしてグループ化する。第２の予め設定された期間は、０７：４５：００〜０８：００：００、１１：４５：００〜１２：００：００、または１７：４５：００〜１８：００：００等であってよい。写真の例において、ユーザが常習的に食べ物を撮影する場合、１日が複数の期間に分割されてよい。例えば、撮影時刻が０７：４５：００〜０８：００：００の期間に属する複数の写真は、朝の写真としての写真セットに分類され、撮影時刻が１１：４５：００〜１２：００：００の期間に属する複数の写真は、昼の写真としての別の写真セットに分類され、撮影時刻が１７：４５：００〜１８：００：００の期間に属する複数の写真は、夜の写真としての別の写真セットに分類される。ユーザにとって、異なる日の同じ期間に作成された複数のマルチメディアファイルは通常互いに関連しており、ユーザは、当該期間に作成された複数のマルチメディアファイルにおけるマルチメディアファイルから、同じ期間に当該マルチメディアファイルと共に作成された別のマルチメディアファイルを連想し得る。よって、この分類方式は、ユーザがマルチメディアファイルを検索するときに、ユーザに検索の手掛かりを提供し得る。
【００７１】
第５の分類方式において、電子デバイスは、１または複数の指定オブジェクトを有する複数のマルチメディアファイルをマルチメディアファイルセットとして分類する。当該指定オブジェクトは、人物、動物、植物、または建物等を含むが、これらに限定されない。写真の例において、電子デバイスは、１または複数の指定オブジェクトを有する複数の写真を写真セットとして分類するべく、写真に対して画像認識を行って、各写真に含まれるオブジェクトを決定してよい。電子デバイスは、帳三を含む複数の写真を写真セットとして分類し、李四を含む複数の写真を別の写真セットとして分類する、または、万里の長城を含む複数の写真を写真セットとして分類し、天安門を含む複数の写真を写真セットとして分類する。ユーザにとって、同じ指定オブジェクトを有する複数のマルチメディアファイルは通常互いに関連しており、ユーザは、当該マルチメディアファイルセットにおけるマルチメディアファイルから、当該マルチメディアファイルと同じ指定オブジェクトを有する別のマルチメディアファイルを連想し得る。よって、この分類方式は、ユーザがマルチメディアファイルを検索するときに、ユーザに検索の手掛かりを提供し得る。
【００７２】
第６の分類方式において、電子デバイスは、同じラベルを有する複数のマルチメディアファイルをマルチメディアファイルセットとして分類する。写真の例において、ユーザは、例えば友人、クラスメート、家族、顧客、親子、家具、景色、フィットネス、ショッピング、食べ物、旅行、ＷｅＣｈａｔ、またはＱＱといったラベルを各写真に手動で追加してよい。電子デバイスは、各写真のラベルに従って、同じラベルを有する複数の写真を写真セットとして分類する。例えば、電子デバイスは、同じラベル「ＷｅＣｈａｔ」（これは、この種類の写真がＷｅＣｈａｔに共有されている、例えばＷｅＣｈａｔの友人に共有されている、またはＷｅＣｈａｔのモーメンツに共有されていることを示す）を有する複数の写真を写真セットとして分類し、同じラベル「ＱＱ」（これは、この種類の写真がＱＱに共有されている、例えばＱＱの友人に共有されている、またはＱｚｏｎｅに共有されていることを示す）を有する複数の写真を別の写真セットとして分類する、または、同じラベル「クラスメート」を有する複数の写真を写真セットとして分類し、同じラベル「顧客」を有する複数の写真を別の写真セットとして分類する。ユーザにとって、同じラベルを有する複数のマルチメディアファイルは通常互いに関連しており、ユーザは、当該マルチメディアファイルセットにおけるマルチメディアファイルから、当該マルチメディアファイルと同じラベルを有する別のマルチメディアファイルを連想し得る。よって、この分類方式は、ユーザがマルチメディアファイルを検索するときに、ユーザに検索の手掛かりを提供し得る。
【００７３】
電子デバイスまたはユーザは、上述の予め設定されたルールに対して優先度ソートを事前に行ってよいことに留意されたい。例えば、第１の分類方式は第１優先度に設定され、第２の分類方式は第２優先度に設定され、第３の分類方式は第３優先度に設定され、第４の分類方式は第４優先度に設定され、第５の分類方式は第５優先度に設定され、第６の分類方式は第６優先度に設定される。これら優先度は、別の順序でソートされてもよく、これは本発明の本実施形態において具体的に限定されない。よって、マルチメディアファイルが上述の予め設定されたルールのうち少なくとも２つを満たす場合、当該マルチメディアファイルは、優先度の最も高い予め設定されたルールに従って分類される。例えば、マルチメディアファイルが、第１の分類方式においてマルチメディアファイルセットとして分類され得るだけでなく、第２の分類方式において別のマルチメディアファイルセットとしても分類され得る場合、優先度の順序に従って、当該マルチメディアファイルは第１の分類方式においてのみ分類される。代替的に、マルチメディアファイルは、当該マルチメディアファイルが満たす全ての異なる予め設定されたルールに従って別個に分類されてよく、これにより当該マルチメディアファイルは、少なくとも２つのマルチメディアファイルセットとして分類される。よって、当該マルチメディアファイルは、ギャラリーおよびフォルダなどのマルチメディアファイル記憶領域において少なくとも２回出現する。代替的に、上述の予め設定されたルールは、ユーザによる選択のために電子デバイスの表示画面上に提示されてよい。予め設定されたルールをユーザが選択した後、電子デバイスは、ユーザによって選択された予め設定されたルールに従ってマルチメディアファイルを分類する。さらに、ユーザが予め設定された期間に予め設定されたルールを選択しなかった場合、電子デバイスは、デフォルトで、優先度の順序に従って優先度の最も高い予め設定されたルールを選択して、マルチメディアファイルを分類する。当該予め設定された期間は、１分、２分、または３分等であってよい。デフォルトの予め設定された期間がシステムに存在してよく、ユーザは当該予め設定された期間を変更してよい。
【００７４】
Ｓ２０３。電子デバイスは、第１のマルチメディアファイルセットにおける過去のユーザ操作の回数が最も多い１または複数のマルチメディアファイルを、第１のマルチメディアファイルセットのコーディネートファイルとして決定する。
【００７５】
具体的には、電子デバイスが電子デバイスに記憶された複数のマルチメディアファイルを分類した後、電子デバイスは、第１のマルチメディアファイルセットにおける過去のユーザ操作の回数が最も多い１または複数のマルチメディアファイルを、第１のマルチメディアファイルセットのコーディネートファイルとして決定する。コーディネートファイルは、第１のマルチメディアファイルセットの代表的なマルチメディアファイルとして用いられ、ユーザは、コーディネートファイルから、コーディネートファイルに関連する別のマルチメディアファイルを連想し得る。よって、ユーザがマルチメディアファイルを検索するときに、コーディネートファイルがユーザに参照を提供することができ、これによりユーザは、コーディネートファイルに基づいて所望のマルチメディアファイルをすばやく見つける。過去のユーザ操作は、閲覧、編集、共有、マーキング、または使用等を含むが、これらに限定されない。写真またはピクチャについて、編集は、名前の変更、フレームの追加、シナリオの追加、アクセサリの追加、顔面美化加工、ピクチャの繋ぎ合わせ、または切り取り等を含むが、これらに限定されない。音声または動画について、編集は、名前の変更、音響効果の調節、特殊効果の追加、字幕付け、録画、および編集等を含むが、これらに限定されない。文書について、編集は、名前の変更、フォーマットの変換、または内容の編集等を含むが、これらに限定されない。共有は、インスタントメッセージングアプリケーションへの共有または電脳空間への公開、例えばＷｅＣｈａｔの友人への共有、ＱＱの友人への共有、Ｒｅｎｒｅｎの友人への共有、Ｗｅｉｂｏの友人への共有、Ｔｉｅｂａの友人への共有、ＷｅＣｈａｔのモーメンツへの共有、Ｑｚｏｎｅへの共有、Ｒｅｎｒｅｎへの共有、Ｗｅｉｂｏへの共有、またはＴｉｅｂａへの共有を含むが、これらに限定されない。マーキングは、時間マークの追加、人物名マークの追加、位置マークの追加、マークの編集、またはマークの削除等を含むが、これらに限定されない。使用は、ピクチャの繋ぎ合わせ、ポスターの作成、または別のファイルへの素材としての追加等を含むが、これらに限定されない。電子デバイスは、各マルチメディアファイルに対応する、過去のユーザ操作の回数を記録する。第１のマルチメディアファイルセットにおける過去のユーザ操作の回数が最も多いマルチメディアファイルが１つである場合、電子デバイスは、過去のユーザ操作の回数が最も多いマルチメディアファイルを、第１のマルチメディアファイルセットのコーディネートファイルとして決定する。第１のマルチメディアファイルセットにおける過去のユーザ操作の回数が最も多いマルチメディアファイルが複数ある場合、電子デバイスは、当該複数のマルチメディアファイルから１または複数のマルチメディアファイルを選択し、選択された１または複数のマルチメディアファイルを第１のマルチメディアファイルセットのコーディネートファイルとして決定してよい。コーディネートファイルの数は、ユーザによって編集または選択されてよい。
【００７６】
第１のマルチメディアファイルセット以外の別のマルチメディアファイルセットについては、同様に過去のユーザ操作の回数が最も多い１または複数のマルチメディアファイルが、各マルチメディアファイルセットにおいてマルチメディアファイルセットのコーディネートファイルとして決定されてもよく、または各マルチメディアファイルセットのコーディネートファイルが別の方式で決定されてもよく、これは本発明の本実施形態において具体的に限定されないことに留意されたい。当該別の方式は、作成時期が最も早いこと、または含まれる文字数が最も多いこと（マルチメディアファイルが写真、ピクチャ、または動画等のとき）を含むが、これらに限定されない。代替的に、当該別の方式は、第１のマルチメディアファイルセット以外の各マルチメディアファイルセットのコーディネートファイルをユーザが手動で選択することであってよい。加えて、電子デバイスが第１のマルチメディアファイルセットのコーディネートファイルを決定した後、ユーザは、任意の時期に当該コーディネートファイルをキャンセルし、第１のマルチメディアファイルセットにおける別のマルチメディアファイルをコーディネートファイルとして手動で選択してもよい。これにより、ユーザの個人的な要求事項が満たされる。
【００７７】
電子デバイスが第１のマルチメディアファイルセットのコーディネートファイルを決定した後、ユーザが、第１のマルチメディアファイルセットにおけるマルチメディアファイルに対して新たな操作を行い、当該マルチメディアファイルに対する過去のユーザ操作の回数が、以前に決定されたコーディネートファイルに対する過去のユーザ操作の回数を上回ることを統計の収集によって把握した場合、電子デバイスは、コーディネートファイルを再度決定してよいことに留意されたい。このようにして、電子デバイスは、ユーザの使用途中にリアルタイムでコーディネートファイルを更新することができ、これにより、ユーザは常にコーディネートファイルによる印象付けを比較的受けるようになる。
【００７８】
任意選択的に、ユーザが電子デバイスに記憶された任意のマルチメディアファイルに対して操作を行ったとき、電子デバイスは、ユーザの当該操作を記録し、当該マルチメディアファイルに対応する過去のユーザ操作の回数を更新する。電子デバイスは、各マルチメディアファイルについて過去操作記録テーブルを生成してよく、過去操作記録テーブルは、マルチメディアファイルの名前、過去のユーザ操作の名前、および過去のユーザ操作の回数等を含んでよい。電子デバイスは、ユーザがマルチメディアファイルに対して操作を行うたびに、当該マルチメディアファイルに対応する過去のユーザ操作の回数を更新する必要がある。電子デバイスは、マルチメディアファイルに対応する過去のユーザ操作の名前を記録するとき、当該マルチメディアファイルに対してユーザにより行われた過去の操作の順序に従って、各回の過去のユーザ操作の名前を１つずつ記録してよい、または、同じ過去のユーザ操作をまとめ、各過去のユーザ操作の回数に関する統計を分類による記録のために収集してよい。これは、本発明の本実施形態において具体的に限定されない。
【００７９】
例えば、電子デバイスは、ギャラリーに記憶された６つの写真Ｐ１、Ｐ２、Ｐ３、Ｐ４、Ｐ５、およびＰ６を分類して、写真セット１（写真Ｐ１、Ｐ２、およびＰ３を含む）および写真セット２（写真Ｐ４、Ｐ５、およびＰ６を含む）の２つの写真セットを取得する。第１のマルチメディアファイルセットは、写真セット１である。電子デバイスに記録される過去操作記録テーブルを、表１に示す。
【表１】
2019508784.tif 000003
【００８０】
表１から、写真セット１について、過去のユーザ操作の回数が最も多い写真はＰ２であり、よって電子デバイスは、Ｐ２を写真セット１のコーディネートファイルとして用いることがわかる。写真セット２について、電子デバイスが同様に過去のユーザ操作の回数に従ってコーディネートファイルを決定する場合、電子デバイスは、写真セット２における過去のユーザ操作の回数が最も多いＰ４を、写真セット２のコーディネートファイルとして決定する。
【００８１】
任意選択的に、第１のマルチメディアファイルセットにおける過去のユーザ操作の回数が最も多いマルチメディアファイルを、対象の分類ファイルのコーディネートファイルとして決定することは、第１のマルチメディアファイルセットにおける過去のユーザ操作の回数が最も多いマルチメディアファイルが複数ある場合に、マルチメディアファイルの作成時期に従って、最も中間のマルチメディアファイルを第１のマルチメディアファイルセットのコーディネートファイルとして決定することを含む。
【００８２】
具体的には、第１のマルチメディアファイルセットにおける、過去のユーザ操作の回数が最も多いマルチメディアファイルが複数ある場合、過去のユーザ操作の回数は全て０であるか、または過去のユーザ操作の回数の全てが０ではない。過去の操作の回数が全て０である場合であって、例えば、第１のマルチメディアファイルセットが５つの動画を含み、当該５つの動画全てがユーザにより操作されない場合、電子デバイスは、当該５つの動画のうち作成時期が最も中間である動画（作成時期が最も中間である動画が１つのみであるとき）を、第１のマルチメディアファイルセットのコーディネートファイルとして選択してよい、または、作成時期が最も中間である動画が複数ある場合、電子デバイスは、当該複数のマルチメディアファイルのいずれか１つを、第１のマルチメディアファイルセットのコーディネートファイルとして選択してよい。これは、本発明の本実施形態において具体的に限定されない。加えて、電子デバイスは、当該５つの動画のうち作成時期が最も早いまたは最も遅い動画を、第１のマルチメディアファイルセットのコーディネートファイルとして選択してもよい。過去の操作の回数の全てが０ではない場合であって、例えば、第１のマルチメディアファイルセットが５つの動画を含み、当該５つの動画に対する過去のユーザ操作の回数がそれぞれ１、０、３、３、および３である場合、電子デバイスは、過去のユーザ操作の回数が最も多い３つの動画全てを、第１のマルチメディアファイルセットのコーディネートファイルとして決定してよい、または、電子デバイスは、当該３つの動画の作成時期に従って、最も中間の動画を第１のマルチメディアファイルセットのコーディネートファイルとして選択する（作成時期が最も中間である動画が１つのみであるとき）、もしくは、当該３つの動画のうち過去のユーザ編集の回数が最も多い（過去の使用回数が最も多い、または過去の閲覧回数が最も多い等）動画を第１のマルチメディアファイルセットのコーディネートファイルとして選択する、もしくは、当該３つの動画のいずれか１つを第１のマルチメディアファイルセットのコーディネートファイルとして選択する。これは、本発明の本実施形態において具体的に限定されない。
【００８３】
Ｓ２０５。電子デバイスは、コーディネートファイルと第１のマルチメディアファイルセットにおける別のマルチメディアファイルとを区別して表示するべく、コーディネートファイルに対して特別なマーキングを行う。
【００８４】
具体的には、コーディネートファイルと第１のマルチメディアファイルセットにおける別のマルチメディアファイルとは、表示方式が異なる。特別なマーキングは、拡大による表示、フレームを追加した表示、マークを追加した表示、特別な色を用いた表示、特別なパターンを用いた表示、または動的な表示を含むが、これらに限定されない。異なるマルチメディアファイルセットのコーディネートファイルに対しては、同じ特別なマーキングが行われてもよく、または異なる特別なマーキングが行われてもよく、これは本発明の本実施形態において具体的に限定されない。電子デバイスは、ギャラリーまたはフォルダなどのマルチメディアファイル記憶領域においてコーディネートファイルをハイライトすることにより、コーディネートファイルに対して特別なマーキングを行ってよく、これによりユーザは、マルチメディアファイルをすばやくブラウジングし、マルチメディアファイルに対してフリックブラウジングを行うときにコーディネートファイルを明確に視認し、ハイライトされたコーディネートファイルに基づいて所望のマルチメディアファイルをすばやく見つける。
【００８５】
例えば、図２Ｃを参照すると、図２Ｃは、本発明の一実施形態に係るギャラリーの概略画面図である。図２Ｃにおいて、写真Ｐ１は写真セットのコーディネート写真（すなわちコーディネートファイル）であり、写真Ｐ１２は別の写真セットのコーディネート写真である。写真Ｐ２、Ｐ３、Ｐ４、Ｐ５、およびＰ６は、コーディネート写真Ｐ１と同じ写真セットに属する他の写真であり、写真Ｐ７、Ｐ８、Ｐ９、Ｐ１０、Ｐ１１、Ｐ１３、Ｐ１４、Ｐ１５、Ｐ１６、Ｐ１７、およびＰ１８は、コーディネート写真Ｐ１２と同じ写真セットに属する他の写真である。コーディネート写真Ｐ１およびコーディネート写真Ｐ１２の表示方式は、拡大による表示である。他の非コーディネート写真の表示方式は、従来技術におけるサムネイルの表示方式である。よって、ユーザは、ギャラリー内で写真を検索するときに、フリックブラウジングの途中でコーディネート写真を明確に視認し、次いでコーディネート写真を検索の手掛かりとして用いることにより所望の写真をすばやく見つけることができ、これにより検索効率が向上する。コーディネート写真Ｐ１およびコーディネート写真Ｐ１２は、撮影時期の順にソートされてよく、コーディネート写真Ｐ１と同じ写真セットに属する写真Ｐ２、Ｐ３、Ｐ４、Ｐ５、およびＰ６も、撮影時期の順にソートされてよく、コーディネート写真Ｐ１２と同じ写真セットに属する写真Ｐ７、Ｐ８、Ｐ９、Ｐ１０、Ｐ１１、Ｐ１３、Ｐ１４、Ｐ１５、Ｐ１６、Ｐ１７、およびＰ１８も、撮影時期の順にソートされてよいことに留意されたい。もちろん、コーディネート写真は別の方式でソートされてよく、同じ写真セットにおける写真も別の方式でソートされてよい。これは、本発明の本実施形態において具体的に限定されない。加えて、写真セットにおいて、コーディネート写真は、当該写真セットの最も前の位置にあってもよく、当該写真セットの最も中間の位置にあってもよく、当該写真セットの最も後ろの位置にあってもよく、当該コーディネート写真が時間的順序において位置すべき位置にあってもよく、または当該写真セットにおける任意の位置にあってもよい。これは、本発明の本実施形態において具体的に限定されない。
【００８６】
任意選択的に、電子デバイスが、コーディネートファイルと第１のマルチメディアファイルセットにおける別のマルチメディアファイルとを区別して表示するべく、コーディネートファイルに対して特別なマーキングを行う具体的な方式は、電子デバイスが、コーディネートファイルと第１のマルチメディアファイルセットにおける別のマルチメディアファイルを区別して表示するべく、コーディネートファイル以外の第１のマルチメディアファイルセットにおける別のマルチメディアファイルをコーディネートファイルの下に隠すことであってよい。
【００８７】
具体的には、電子デバイスは、第１のマルチメディアファイルセットにおけるマルチメディアファイルに対してスタック表示を行って、第１のマルチメディアファイルセットのコーディネートファイルを電子デバイスの画面最上部に表示し、コーディネートファイル以外の別のマルチメディアファイルをコーディネートファイルの下に隠してよい。このスタック表示方式を、第１のマルチメディアファイルセット以外の別のマルチメディアファイルセットに用いて、各マルチメディアファイルセットのコーディネートファイルを画面最上部に表示し、コーディネートファイル以外の別のマルチメディアファイルを対応するコーディネートファイルの下に隠してもよい。この表示方式により、ギャラリーまたはフォルダなどのマルチメディアファイル記憶領域における表示効果を最適化することができ、これによりギャラリーまたはフォルダなどの記憶領域の画面がより簡潔になる。ユーザは、直接表示されるコーディネートファイルから、当該コーディネートファイルに関連する別のマルチメディアファイルを連想し得る。コーディネートファイルが、ユーザが検索する必要があるマルチメディアファイルに関連する場合、ユーザは、オープン操作を行うことによりコーディネートファイルの下の別のマルチメディアファイルを閲覧してよく、これによりユーザは、直接表示されるコーディネートファイルを用いて所望のマルチメディアファイルをすばやく見つける。コーディネートファイルに対してユーザにより行われるオープン操作を電子デバイスが受け取ると、電子デバイスは、コーディネートファイルの下の別のマルチメディアファイルを表示する。コーディネートファイルに対してユーザにより行われる閲覧操作を電子デバイスが受け取ると、電子デバイスは、コーディネートファイルの下の別のマルチメディアファイルを表示することなく、コーディネートファイルに対応する内容情報を直接出力（写真を表示、ピクチャを表示、音楽を再生、動画を再生、または文書をオープン等）し、次いで、コーディネートファイルに対してユーザにより行われる閲覧操作を受け取ることにより、コーディネートファイルの内容情報を表示してよい。これにより、コーディネートファイルをすばやく閲覧するというユーザの要求事項を満たすことができ、ユーザのコーディネートファイル閲覧効率が向上する。閲覧操作は、シングルタップ、ダブルタップ、トリプルタップ、長押し、短押し、軽いタッチ、予め設定された圧力値を用いた押下、予め設定された方向へのスライド、予め設定されたパターンを用いたスライド、予め設定されたフロート操作、または予め設定された声等を含むが、これらに限定されない。オープン操作は、シングルタップ、ダブルタップ、トリプルタップ、長押し、短押し、軽いタッチ、予め設定された圧力値を用いた押下、予め設定された方向へのスライド、予め設定されたパターンを用いたスライド、予め設定されたフロート操作、または予め設定された声等を含むが、これらに限定されない。長押しの押下時間は、短押しの押下時間よりも長い。例えば、短押しの押下時間は１秒であってよく、長押しの押下時間は２秒、３秒、または５秒等であってよい。軽いタッチは、１ニュートンの押下等であってよい。予め設定された圧力値は、２ニュートン、３ニュートン、または５ニュートン等であってよい。予め設定された方向は、予め設定された上方向、予め設定された下方向、予め設定された左方向、または予め設定された右方向等を含むが、これらに限定されない。予め設定されたパターンは、三角、円、またはジグザグ等を含むが、これらに限定されない。予め設定されたフロート操作は、拳を握る、手を振る、または親指を立てるなどの予め設定された空中ジェスチャを含むが、これらに限定されない。例えば、予め設定された声は、「オープン」または「閲覧」等であってよい。加えて、閲覧操作は、オープン操作とは異なるものである必要がある。例えば、閲覧操作はシングルタップ操作であり、オープン操作は予め設定された右方向に沿ったスライド操作である。
【００８８】
任意選択的に、第１のマルチメディアファイルセットはフォルダであり、当該フォルダのアイコンはコーディネートファイルに対応するアイコンである。ユーザは、コーディネートファイルを用いることで、ユーザが検索したいマルチメディアファイルがコーディネートファイルに関連するか否かを把握し、次いで、コーディネートファイルの下の別のマルチメディアファイルを閲覧することにより所望のマルチメディアファイルを見つけることができる。これは、ユーザがコーディネートファイルを検索の手掛かりとして用いることにより所望のマルチメディアファイルをすばやく見つける助けとなる。
【００８９】
第１のマルチメディアファイルセットにおけるコーディネートファイルが複数ある場合、当該複数のコーディネートファイルのいずれか１つが電子デバイスの画面最上部に表示されるよう選択されてよい、または、コーディネートファイルが予め設定された選択ルールに従って当該複数のコーディネートファイルから選択され、選択されたコーディネートファイルが電子デバイスの画面最上部に表示されることに留意されたい。予め設定された選択ルールは、作成時期が最も早いこと、作成時期が最も中間であること、作成時期が最も遅いこと、または無作為な選択等を含むが、これらに限定されない。
【００９０】
例えば、図２Ｄを参照すると、図２Ｄは、本発明の一実施形態に係る別のギャラリーの概略画面図である。図２Ｄにおいて、写真Ｐ１は写真セットのコーディネート写真（すなわちコーディネートファイル）であり、写真Ｐ１２は別の写真セットのコーディネート写真である。コーディネート写真Ｐ１と同じ写真セットに属する他の写真Ｐ２、Ｐ３、Ｐ４、Ｐ５、およびＰ６は、コーディネート写真Ｐ１の下に隠れている。コーディネート写真Ｐ１２と同じ写真セットに属する他の写真Ｐ７、Ｐ８、Ｐ９、Ｐ１０、Ｐ１１、Ｐ１３、Ｐ１４、Ｐ１５、Ｐ１６、Ｐ１７、およびＰ１８は、コーディネート写真Ｐ１２の下に隠れている。電子デバイスは、コーディネート写真Ｐ１に対してユーザにより行われるシングルタップ操作を受け取ると、コーディネート写真Ｐ１を画面上に表示（例えば最大化）する。電子デバイスは、コーディネート写真Ｐ１に対してユーザにより行われる、予め設定された右方向に沿ったスライド操作を受け取ると、コーディネート写真Ｐ１の下に隠れた他の写真をサムネイル方式で表示する。具体的には、図２Ｅを参照すると、図２Ｅは、本発明の一実施形態に係る別のギャラリーの概略画面図である。図２Ｅにおいて、コーディネート写真Ｐ１の下の他の写真Ｐ２、Ｐ３、Ｐ４、Ｐ５、およびＰ６が、電子デバイスの画面上に表示されている。本発明の本実施形態において、電子デバイスがコーディネート写真Ｐ１に対するオープン操作を受け取ると、同時にコーディネート写真Ｐ１が画面上に表示される。別の実行可能な実施形態において、電子デバイスは、コーディネート写真Ｐ１に対するオープン操作を受け取ると、コーディネート写真Ｐ１と同じ写真セットに属する他の写真のみを表示し、コーディネート写真Ｐ１を表示しなくなってよい。コーディネート写真Ｐ１の下に隠れた全ての写真が画面上に表示されるとき、これらの写真をソートする順序は限定されない。
【００９１】
任意選択的に、コーディネート写真が図２Ｄにおける表示方式で表示されるとき、コーディネート写真の下に隠れた写真の数、写真の名前、および分類ルールなどの情報が、コーディネート写真の表示領域にさらに表示されてよく、これによりユーザは、この写真グループの特徴等を把握する。
【００９２】
図２Ａで説明される方法において、電子デバイスは、電子デバイスに記憶された複数のマルチメディアファイルを予め設定されたルールに従って分類して、各マルチメディアファイルセットを取得することがわかる。第１のマルチメディアファイルセットにおいて、電子デバイスは、過去のユーザ操作の回数が最も多いマルチメディアファイルを第１のマルチメディアファイルセットのコーディネートファイルとして選択し、コーディネートファイルと第１のマルチメディアファイルセットにおける別のマルチメディアファイルとを区別して表示するべく、選択されたコーディネートファイルに対して特別なマーキングを行う。ユーザは、あるマルチメディアファイルを大量のマルチメディアファイルから検索するときに、コーディネートファイルを検索の手掛かりとして用いることにより所望のマルチメディアファイルをすばやく見つけることができ、それによってマルチメディアファイルの検索効率が向上し、ユーザに利便性がもたらされる。
【００９３】
任意選択的に、図３Ａを参照すると、図３Ａは、本発明の一実施形態に係る別のマルチメディアファイル管理方法の概略フローチャートである。電子デバイスは、コーディネートファイルと第１のマルチメディアファイルセットにおける別のマルチメディアファイルとを区別して表示するべく、コーディネートファイルに対して特別なマーキングを行った後、段階Ｓ２０７を行うことによりアイコンマークをコーディネートファイルにさらに追加してよい。段階Ｓ２０７について、以下で詳細に説明する。
【００９４】
Ｓ２０７。電子デバイスは、過去のユーザ操作をマーキングするアイコンをコーディネートファイルに追加する。
【００９５】
具体的には、電子デバイスは、コーディネートファイルの作成時期および地理的位置情報、またはコーディネートファイルに対してユーザにより行われる過去の操作の名前、回数、時期、および頻度等に従って、マークをコーディネートファイルに自動的に追加してよい。代替的に、ユーザがラベルをコーディネート写真に手動で追加してよく、それによってコーディネートファイルに関する情報を充実させ、ユーザによる検索のための手掛かりをさらに提供し、それによってユーザに利便性がもたらされる。写真の例において、電子デバイスは、コーディネート写真の撮影日または撮影位置等に従ってコーディネート写真をマーキングしてよく、これによりユーザは、アイコンを閲覧することによりコーディネート写真の撮影日および撮影位置などの詳細な情報を把握することができる。代替的に、スケジュールまたはメモがコーディネート写真に対応する撮影日に生成される場合、コーディネート写真は、生成されたスケジュールまたは生成されたメモに従ってマーキングされてよい。代替的に、コーディネート写真がＷｅＣｈａｔのモーメンツに共有される場合、コーディネート写真は、この共有記録に従ってマーキングされてよい。アイコンの表示方式は、アイコンをコーディネート写真上に表示するもの、例えば、グラフィックマークをコーディネート写真にコーナーマークの形式で追加するものであってよい。アイコンの具体的内容（例えば撮影日、撮影位置、撮影パラメータ、および共有記録）は、ユーザが指またはカーソルを当該グラフィックマークに動かした場合に表示される。代替的に、アイコンの表示方式は、アイコンがコーディネートファイル上に表示されないが、カーソルまたは指がコーディネート写真上に予め設定された期間よりも長く留まる場合に、アイコンの具体的内容を表示する小さなウィンドウがポップアップされるものであってよい。当該予め設定された期間は、１秒、２秒、または５秒等であってよい。代替的に、アイコンの表示方式は、アイコンがコーディネート写真の下に隠れており、電子デバイスが、コーディネート写真に対してユーザにより行われる予め設定された操作を受け取ったときに、アイコンをポップアップウィンドウ方式で現在の画面の一領域に表示する、または現在の画面を別の画面に切り替えてアイコンを表示するものであってよい。アイコンに対してユーザにより行われるタップなどの操作が受け取られると、アイコンの具体的内容が表示される。当該予め設定された操作は、ストレッチジェスチャ操作またはピンチジェスチャ操作等を含むが、これらに限定されず、当該予め設定された操作は、閲覧操作およびオープン操作とは異なる。
【００９６】
ユーザが各マルチメディアファイルに関する詳細な情報をより正確に把握し、ユーザの所望するマルチメディアファイルをすばやく見つける助けとするべく、電子デバイスは、コーディネートファイルをマーキングしてよいだけでなく、別の非コーディネートファイルもマーキングしてよいことに留意されたい。
【００９７】
例えば、図３Ｂを参照すると、図３Ｂは、本発明の一実施形態に係る別のギャラリーの概略画面図である。図３Ｂにおいて、ユーザの指がコーディネート写真Ｐ１にタッチする期間が、予め設定された２秒間を上回ったことを電子デバイスが検出すると、電子デバイスは、ウィンドウを現在の画面上にポップアップして、コーディネート写真Ｐ１に対応するアイコンを表示する。アイコンの具体的内容は、「２０１５年７月１８日にＷｅＣｈａｔのモーメンツに共有」である。この方式により、ユーザがギャラリー内をフリックして写真をブラウジングするときに、コーディネート写真のアイコン内容注記を利便性よく閲覧することができ、それにより、ユーザが所望の写真をすばやく見つける助けとなる。加えて、アイコン内容注記の表示期間は予め設定されたものであってよく、例えば、アイコン内容注記は２秒または５秒等にわたって表示される。
【００９８】
代替的に、図３Ｃを参照すると、図３Ｃは、本発明の一実施形態に係る別のギャラリーの概略画面図である。図３Ｃにおいて、ユーザが、コーディネート写真Ｐ１の位置する領域においてストレッチジェスチャ操作を入力する場合、電子デバイスは、当該ストレッチジェスチャをアイコンの閲覧命令に変換し、次いで、当該命令に従ってコーディネート写真Ｐ１に対応するアイコンを画面上に表示する。図３Ｄを参照すると、コーディネート写真Ｐ１に対応する、撮影日、撮影位置、共有記録、共有回数を含む４つのアイコンが画面上に表示されている。ユーザが、図３Ｄに示す画面上のアイコン「共有記録」をタップするとき、図３Ｅを参照すると、アイコン「共有記録」に対応する具体的内容、すなわち「２０１５年７月１８日にＷｅＣｈａｔのモーメンツに共有」を表示するウィンドウが画面上にポップアップされる。よって、ユーザは、コーディネートファイルのアイコン内容注記を閲覧することができる。図３Ｄに示す画面上には、アイコンを追加するためのボタン３１がさらに表示されている。アイコンを追加するためのボタン３１をユーザがタップすると、ユーザは、新たなアイコンをコーディネート写真Ｐ１に追加することができる。図３Ｆを参照すると、ラベル３２が画面上に表示されている。ユーザは、テキスト情報等をラベル３２に入力して、新たなアイコンをコーディネート写真Ｐ１に追加してよい。それによって、ユーザが後にコーディネートファイルに関する情報を閲覧する助けとなり、ユーザに利便性がもたらされる。図３Ｅおよび図３Ｆは、任意選択的な表示画面を示すものに過ぎないことに留意されたい。別の実現形態においては、画面上の他の表示内容および別の表示方式が存在してよい。これはここでは限定されない。
【００９９】
電子デバイスは、段階Ｓ２０７を行うことにより、アイコンをコーディネートファイルに自動的に追加して、コーディネートファイルに関する情報を充実させ、ユーザによる検索の手掛かりをさらに提供できることがわかる。これは、ユーザが所望のマルチメディアファイルをよりすばやく見つける助けとなり、ユーザに利便性をもたらす。
【０１００】
任意選択的に、図４Ａを参照すると、図４Ａは、本発明の一実施形態に係る別のマルチメディアファイル管理方法の概略フローチャートである。電子デバイスは、コーディネートファイルと第１のマルチメディアファイルセットにおける別のマルチメディアファイルとを区別して表示するべく、コーディネートファイルに対して特別なマーキングを行った後、分類結果に対してユーザにより行われる手動調整を実現するべく、段階Ｓ２０９または段階Ｓ２１１をさらに行ってよい。段階Ｓ２０９および段階Ｓ２１１について、以下で詳細に説明する。
【０１０１】
Ｓ２０９。電子デバイスは、第１のマルチメディアファイルセットに属さない１または複数の対象マルチメディアファイルに対してユーザにより行われる操作を受け取り、当該操作が予め設定された第１の操作を満たす場合、当該１または複数の対象マルチメディアファイルを第１のマルチメディアファイルセットにグループ化する。
【０１０２】
Ｓ２１１。電子デバイスは、第１のマルチメディアファイルセットにおける１または複数の対象マルチメディアファイルに対してユーザにより行われる操作を受け取り、当該操作が予め設定された第２の操作を満たす場合、当該１または複数の対象マルチメディアファイルが第１のマルチメディアファイルセットにグループ化されなくなるよう、当該１または複数の対象マルチメディアファイルを第１のマルチメディアファイルセットから分離する。
【０１０３】
具体的には、電子デバイスが複数のマルチメディアファイルを自動的に分類した後、ユーザは、分類結果を手動でさらに調整して、第１のマルチメディアファイルセットに属さない対象マルチメディアファイルを、ドラッグまたは別の操作によって第１のマルチメディアファイルセットに分類してよい、または、第１のマルチメディアファイルセットにグループ化されている対象マルチメディアファイルが第１のマルチメディアファイルセットにグループ化されなくなるよう、当該対象マルチメディアファイルをドラッグまたは別の操作によって第１のマルチメディアファイルセットから分離してよい。第１の操作は、第１のマルチメディアファイルセットに属さない１または複数の対象マルチメディアファイルを、第１のマルチメディアファイルセットのコーディネートファイルにドラッグする操作、または、第１のマルチメディアファイルセットに属さない１または複数の対象マルチメディアファイルを、第１のマルチメディアファイルセットにおける任意のマルチメディアファイルにドラッグする操作を含むが、これらに限定されない。第２の操作は、第１のマルチメディアファイルセットに属する１または複数の対象マルチメディアファイルを、別のマルチメディアファイルセットのコーディネートファイルにドラッグする操作、第１のマルチメディアファイルセットに属する１または複数の対象マルチメディアファイルを、別のマルチメディアファイルセットにおける任意のマルチメディアファイルにドラッグする操作、または、第１のマルチメディアファイルセットに属する１または複数の対象マルチメディアファイルを、第１のマルチメディアファイルセットに属さない任意のマルチメディアファイルにドラッグする操作を含むが、これらに限定されない。これはユーザが分類表示結果を調整する助けとなり、これにより、電子デバイスのインテリジェント分類の不都合点が改善され、ユーザの個人的な要求事項が満たされる。
【０１０４】
任意選択的に、電子デバイスは、第１のマルチメディアファイルセットに属さない１または複数の対象マルチメディアファイルに対してユーザにより行われる第１の操作を受け取ると、当該１または複数の対象マルチメディアファイルを第１のマルチメディアファイルセットにグループ化するよう、当該１または複数の対象マルチメディアファイルをコーディネートファイルの下に隠してよい、または当該１または複数のマルチメディアファイルの表示位置を第１のマルチメディアファイルセットに対応する表示領域内に調整してよい。電子デバイスは、第１のマルチメディアファイルセットに属する１または複数の対象マルチメディアファイルに対してユーザにより行われる第２の操作を受け取ると、当該１または複数の対象マルチメディアファイルを第１のマルチメディアファイルセットから分離するよう、当該１または複数の対象マルチメディアファイルの表示位置を別のマルチメディアファイルセットに対応する表示領域内に調整してよい、または当該１または複数の対象マルチメディアファイルを別のマルチメディアファイルセットに対応するコーディネートファイルの下に隠してよい、または当該１または複数の対象マルチメディアファイルの表示位置を第１のマルチメディアファイルセットに対応する領域以外の別の領域内に調整してよい。
【０１０５】
任意選択的に、ユーザは、電子デバイスによる自動分類の結果を、指の関節を用いた領域の画定などの方式で調整して、当該領域における複数のマルチメディアファイルをマルチメディアファイルセットとして分類してよい。図４Ｂを参照すると、図４Ｂにおいて、ユーザは、指を用いて領域４１を画面上で画定し、領域４１は、写真Ｐ１、Ｐ２、Ｐ４、Ｐ６、Ｐ７、およびＰ８を含む。電子デバイスは、領域４１における写真Ｐ１、Ｐ２、Ｐ４、Ｐ６、Ｐ７、およびＰ８をマルチメディアファイルセットとして自動的に分類し、これにより写真Ｐ７およびＰ８はコーディネート写真Ｐ１２の属する写真セットに属さなくなる。加えて、領域４１に含まれない写真Ｐ３およびＰ５は、依然としてコーディネート写真Ｐ１の属する写真セットに属していてもよく、またはコーディネート写真Ｐ１の属する写真セットから分離されてもよい。これは、本発明の本実施形態において具体的に限定されない。
【０１０６】
任意選択的に、段階Ｓ２０１からＳ２０５が行われた後、段階Ｓ２０９のみが行われてもよく、もしくは段階Ｓ２１１のみが行われてもよく、または段階Ｓ２０９および段階Ｓ２１１の両方が行われてもよい。加えて、段階Ｓ２０９および段階Ｓ２１１を行う順序は限定されない。
【０１０７】
例えば、図４Ｃを参照すると、図４Ｃは、本発明の一実施形態に係る別のギャラリーの概略画面図である。図４Ｃにおいて、画面上に表示されている写真Ｐ１２は、写真セットのコーディネート写真（すなわちコーディネートファイル）である。写真Ｐ４およびコーディネート写真Ｐ１２は、同じ写真セットに属していない。ユーザは、写真Ｐ４を選択するようタップし、Ｐ４をコーディネート写真Ｐ１２の位置する領域にドラッグする。電子デバイスは、写真Ｐ４を写真Ｐ１２に対応するマルチメディアファイルセットの表示領域に調整し、これにより写真Ｐ４は写真セット１から分離され、写真セット２にグループ化される。このようにして、分類結果が調整され、それによってユーザに利便性がもたらされる。調整後の表示効果について、図４Ｄを参照されたい。図４Ｄにおいて、写真Ｐ４の表示位置がコーディネート写真Ｐ１２の属する写真セットの表示領域に移動され、写真Ｐ５およびＰ６の表示位置が前方に移動されている。任意選択的に、写真Ｐ４は、コーディネート写真Ｐ１２の属する写真セットの表示領域における別の位置に移動されてよい。これは、本発明の本実施形態において具体的に限定されない。
【０１０８】
電子デバイスが、段階Ｓ２０９および段階Ｓ２１１を行うことにより複数のマルチメディアファイルを分類した後、ユーザは、分類結果を手動でさらに調整してよく、これにより電子デバイスのインテリジェント分類の不都合点が改善され、ユーザの個人的な要求事項が満たされることがわかる。
【０１０９】
任意選択的に、段階Ｓ２０１からＳ２０５が行われた後、段階Ｓ２０７が行われてよく、次いで段階Ｓ２０９および／または段階Ｓ２１１が行われる、または、段階Ｓ２０９および／または段階Ｓ２１１が行われた後に段階Ｓ２０７が行われる。段階Ｓ２０９および段階Ｓ２１１を行う順序は限定されない。各段階の詳細な説明については、上述した同じ段階の説明を参照されたい。ここでは詳細を再度説明しない。
【０１１０】
本発明の実施形態における上述の解決手段のより良好な実現を促進するべく、本発明は、上述の解決手段を実現するための電子デバイスをさらに提供する。
【０１１１】
図５Ａを参照すると、図５Ａは、本発明の一実施形態に係る電子デバイスの概略構造図である。図５Ａに示す電子デバイス５０は、分類ユニット５０１と、取得ユニット５０３と、決定ユニット５０５と、管理ユニット５０７とを備えてよい。電子デバイス５０は、全ての上述した内容において説明された方法を行うよう構成されてよい。図５Ａに示す実施形態において説明されない内容については、上述した方法の実施形態における関連する説明を参照されたい。
【０１１２】
分類ユニット５０１は、電子デバイスに記憶された複数のマルチメディアファイルを予め設定されたルールに従って分類するよう構成される。
【０１１３】
取得ユニット５０３は、分類ユニット５０１による分類の結果に従って、少なくとも第１のマルチメディアファイルセットを取得するよう構成される。第１のマルチメディアファイルセットは、当該予め設定されたルールを満たす複数のマルチメディアファイルにそれぞれ対応するアイコンを含む。
【０１１４】
決定ユニット５０５は、第１のマルチメディアファイルセットにおける過去のユーザ操作の回数が最も多い１または複数のマルチメディアファイルを、第１のマルチメディアファイルセットのコーディネートファイルとして決定するよう構成される。
【０１１５】
管理ユニット５０７は、コーディネートファイルと第１のマルチメディアファイルセットにおける別のマルチメディアファイルとを区別して表示するべく、コーディネートファイルに対して特別なマーキングを行うよう構成される。
【０１１６】
図５Ｂを参照すると、図５Ｂは、本発明の一実施形態に係る別の電子デバイスの概略構造図である。図５Ｂに示す電子デバイス５０は、図５Ａに示す電子デバイス５０を最適化することにより得られる。図５Ｂに示す電子デバイス５０は、図５Ａのものと比較して、マーキングユニット５０９をさらに備えてよい。
【０１１７】
マーキングユニット５０９は、管理ユニット５０７が、コーディネートファイルと第１のマルチメディアファイルセットにおける別のマルチメディアファイルとを区別して表示するべく、コーディネートファイルに対して特別なマーキングを行った後に、過去のユーザ操作をマーキングするアイコンをコーディネートファイルに追加するよう構成される。
【０１１８】
図５Ｃを参照すると、図５Ｃは、本発明の一実施形態に係る別の電子デバイスの概略構造図である。図５Ｃに示す電子デバイス５０は、図５Ａに示す電子デバイス５０を最適化することにより得られる。図５Ｃに示す電子デバイス５０は、図５Ａのものと比較して、類別ユニット５１１をさらに備えてよい。
【０１１９】
類別ユニット５１１は、管理ユニット５０７が、コーディネートファイルと第１のマルチメディアファイルセットにおける別のマルチメディアファイルとを区別して表示するべく、コーディネートファイルに対して特別なマーキングを行った後に、第１のマルチメディアファイルセットに属さない１または複数の対象マルチメディアファイルに対してユーザにより行われる操作を受け取り、当該操作が予め設定された第１の操作を満たす場合、１または複数の対象マルチメディアファイルを第１のマルチメディアファイルセットとしてグループ化するよう構成される、または、管理ユニット５０７が、コーディネートファイルと第１のマルチメディアファイルセットにおける別のマルチメディアファイルとを区別して表示するべく、コーディネートファイルに対して特別なマーキングを行った後に、第１のマルチメディアファイルセットにおける１または複数の対象マルチメディアファイルに対してユーザにより行われる操作を受け取り、当該操作が予め設定された第２の操作を満たす場合、１または複数の対象マルチメディアファイルが第１のマルチメディアファイルセットとしてグループ化されなくなるよう、１または複数の対象マルチメディアファイルを第１のマルチメディアファイルセットから分離するよう構成される。
【０１２０】
任意選択的に、電子デバイス５０はさらに、分類ユニット５０１と、取得ユニット５０３と、決定ユニット５０５と、管理ユニット５０７と、マーキングユニット５０９と、類別ユニット５１１とを備えてよい。各ユニットの具体的な実現形態については、上述の解決手段における同じユニットの説明を参照されたい。
【０１２１】
本発明の本実施形態において説明されている電子デバイス５０における各機能ユニットの機能は、具体的には上述した方法の実施形態における方法に従って実現されてよく、ここでは詳細を再度説明しないことに留意されたい。
【０１２２】
図６を参照すると、図６は、本発明の一実施形態に係る電子デバイスの概略構造図である。図６に示す電子デバイス６０は、ＲＦ（Ｒａｄｉｏ  Ｆｒｅｑｕｅｎｃｙ、無線周波数）回路６０１、１または複数のコンピュータプログラムを記憶するメモリ６０２、入力装置６０３、出力装置６０４、センサ６０５、音声周波数回路６０６、Ｗｉ−Ｆｉ（Ｗｉｒｅｌｅｓｓ  Ｆｉｄｅｌｉｔｙ）モジュール６０７、１または複数の処理コアを有するプロセッサ６０８、および電源６０９などのコンポーネントを備える。当業者であれば、図６に示す電子デバイスの構造は、電子デバイスについての限定となるものではなく、電子デバイスは、図に示すものよりも多数のまたは少数のコンポーネント、または一部のコンポーネントの組み合わせ、または異なるコンポーネント配置を含んでよいことを理解されよう。
【０１２３】
ＲＦ回路６０１は、情報を受信および送信するよう、または通話中の信号を受信および送信するよう構成されてよい。特に、ＲＦ回路６０１は、基地局の下りリンク情報を受信した後、当該下りリンク情報を処理のために１または複数のプロセッサ６０８へ送信し、関連する上りリンクデータを基地局へ送信する。一般に、ＲＦ回路６０１は、アンテナ、少なくとも１つの増幅器、チューナ、１または複数の発振器、加入者識別モジュール（ＳＩＭ）カード、送受信機、カプラ、ＬＮＡ（Ｌｏｗ  Ｎｏｉｓｅ  Ａｍｐｌｉｆｉｅｒ、低雑音増幅器）、およびデュプレクサ等を含むが、これらに限定されない。加えて、ＲＦ回路６０１はさらに、無線通信によってネットワークおよび別の端末デバイスと通信してよい。無線通信には任意の通信規格またはプロトコルが用いられてよく、これはＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ、グローバル移動通信システム）、ＧＰＲＳ（Ｇｅｎｅｒａｌ  Ｐａｃｋｅｔ  Ｒａｄｉｏ  Ｓｅｒｖｉｃｅ、汎用パケット無線サービス）、ＣＤＭＡ（Ｃｏｄｅ  Ｄｉｖｉｓｉｏｎ  Ｍｕｌｔｉｐｌｅ  Ａｃｃｅｓｓ、符号分割多元接続）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）、ＬＴＥ（Ｌｏｎｇ  Ｔｅｒｍ  Ｅｖｏｌｕｔｉｏｎ、ロングタームエボリューション）、電子メール、またはＳＭＳ（Ｓｈｏｒｔ  Ｍｅｓｓａｇｉｎｇ  Ｓｅｒｖｉｃｅ、ショートメッセージサービス）等を含むが、これらに限定されない。
【０１２４】
メモリ６０２は、コンピュータプログラムおよびモジュールを記憶するよう構成されてよく、プロセッサ６０８は、メモリ６０２に記憶されたコンピュータプログラムおよびモジュールを動作させることにより、様々な機能アプリケーションを実行し、データ処理を行う。メモリ６０２は主に、プログラム記憶領域およびデータ記憶領域を含んでよい。プログラム記憶領域は、オペレーティングシステム、および少なくとも１つの機能（音響再生機能または画像再生機能など）が必要とするアプリケーションプログラム等を記憶してよい。データ記憶領域は、電子デバイス６０の使用に応じて生成されるデータ（写真、音声データ、または動画データなど）等を記憶してよい。加えて、メモリ６０２は、高速ランダムアクセスメモリを含んでよく、不揮発性メモリ、例えば少なくとも１つの磁気ディスクメモリコンポーネント、フラッシュメモリコンポーネント、または別の揮発性固体メモリコンポーネントをさらに含んでよい。これに対応して、メモリ６０２は、プロセッサ６０８および入力装置６０３にメモリ６０２へのアクセスを提供するべく、メモリコントローラをさらに含んでよい。
【０１２５】
入力装置６０３は、入力される数字または文字情報を受け取り、ユーザ設定および機能制御に関連する、キーボード、マウス、操作レバー、光デバイス、またはトラックボールの信号入力を生成するよう構成されてよい。具体的には、入力装置６０３は、タッチ感応面６０３１および別の入力デバイス６０３２を含んでよい。タッチ感応面６０３１は、タッチ表示パネルまたはタッチパッドとも呼ばれ、ユーザによりタッチ感応面上でまたはこれの近傍で行われるタッチ操作（ユーザにより、指またはスタイラスなどの任意の適当な物体またはアクセサリを用いてタッチ感応面６０３１上でまたはタッチ感応面６０３１の近傍で行われる操作など）を収集し、予め設定されたプログラムに従って対応する接続装置を駆動してよい。任意選択的に、タッチ感応面６０３１は、タッチ検出装置およびタッチコントローラの２つの部分を含んでよい。タッチ検出装置は、ユーザのタッチ位置を検出し、タッチ操作によりもたらされる信号を検出し、当該信号をタッチコントローラへ伝達する。タッチコントローラは、タッチ検出装置からタッチ情報を受け取り、タッチ情報を接触座標に変換し、接触座標をプロセッサ６０８へ送るとともに、プロセッサ６０８により送られるコマンドを受け取って実行し得る。加えて、タッチ感応面６０３１は、例えば抵抗式、静電容量式、赤外線式、または表面弾性波式のタッチ感応面であってよい。入力装置６０３は、タッチ感応面６０３１に加えて、別の入力デバイス６０３２をさらに含んでよい。具体的には、別の入力デバイス６０３２は、物理キーボード、機能キー（音量制御キーまたはオン／オフキーなど）、トラックボール、マウス、または操作レバー等のうちの１または複数を含んでよいが、これらに限定されない。
【０１２６】
出力装置６０４は、ユーザにより入力される情報またはユーザに提供される情報、および電子デバイス６０の様々なグラフィカルユーザインタフェースを表示するよう構成されてよい。これらのグラフィカルユーザインタフェースは、グラフ、テキスト、アイコン、動画、およびそれらの任意の組み合わせを含んでよい。出力装置６０４は、表示パネル６０４１を含んでよい。任意選択的に、表示パネル６０４１は、ＬＣＤ（Ｌｉｑｕｉｄ  Ｃｒｙｓｔａｌ  Ｄｉｓｐｌａｙ、液晶ディスプレイ）またはＯＬＥＤ（Ｏｒｇａｎｉｃ  Ｌｉｇｈｔ−Ｅｍｉｔｔｉｎｇ  Ｄｉｏｄｅ、有機発光ダイオード）等を用いて構成されてよい。さらに、タッチ感応面６０３１は、表示パネル６０４１を覆ってよい。タッチ感応面６０３１は、タッチ感応面６０３１上でのまたはその近傍でのタッチ操作を検出すると、タッチイベントの種類を決定するべく当該タッチ操作をプロセッサ６０８へ伝達し、次いでプロセッサ６０８は、当該タッチイベントの種類に従って対応する視覚出力を表示パネル６０４１上に提供する。図６においては、タッチ感応面６０３１および表示パネル６０４１を、入力および出力機能を実現する２つの独立したコンポーネントとして用いているが、一部の実施形態においては、タッチ感応面６０３１を表示パネル６０４１と一体化して入力および出力機能を実現するものとしてもよい。
【０１２７】
電子デバイス６０は、光センサ、モーションセンサ、および別のセンサなどの少なくとも１つのセンサ６０５をさらに備えてよい。具体的には、光センサは、環境光センサおよび近接センサを含んでよい。環境光センサは、環境光の明るさに応じて表示パネル６０４１の輝度を調整してよい。近接センサは、電子デバイス６０が耳へ移動したときに、表示パネル６０４１および／またはバックライトをターンオフしてよい。モーションセンサの一種として、重力加速度センサが、全方向（一般には３つの軸）における加速度値を検出してよく、静止状態における重力の値および方向を検出してよく、電子デバイス６０の姿勢を識別する用途（風景モードとポートレートモードとの間の画面切り替え、関連するゲーム、および磁気計の姿勢較正など）、および振動の識別に関連する機能（歩数計またはストロークなど）等に適用されてよい。ジャイロスコープ、気圧計、湿度計、温度計、および赤外線センサなどの他のセンサがさらに電子デバイス６０内に構成されてよく、詳細はここでは説明しない。
【０１２８】
音声周波数回路６０６、ラウドスピーカ６０６１、およびマイクロフォン６０６２は、ユーザと電子デバイス６０との間の音声インタフェースを提供してよい。音声周波数回路６０６は、受け取った音声データを電気信号に変換し、当該電気信号をラウドスピーカ６０６１へ伝達してよく、ラウドスピーカ６０６１は、当該電気信号を音響信号に変換して出力する。加えて、マイクロフォン６０６２は、収集された音響信号を電気信号に変換し、音声周波数回路６０６は、当該電気信号を受け取り、当該電気信号を音声データに変換し、当該音声データを処理のためにプロセッサ６０８へ出力し、それにより当該音声データを、例えば別の電子デバイスへＲＦ回路６０１を用いて送信する、または当該音声データをさらなる処理のためにメモリ６０２へ出力する。音声周波数回路６０６は、周辺ヘッドセットと電子デバイス６０との間の通信を提供するべく、ヘッドセットソケットをさらに含んでよい。
【０１２９】
ＷｉＦｉは、短距離無線伝送技術に属する。電子デバイス６０は、ＷｉＦｉモジュール６０７を用いることにより、ユーザが、電子メールの受信および送信、ウェブページのブラウジング、およびストリーミング媒体へのアクセス等を行う助けとなってよい。ＷｉＦｉモジュール６０７は、ユーザに無線ブロードバンドインターネットアクセスを提供する。図６はＷｉＦｉモジュール６０７を示すが、ＷｉＦｉモジュール６０７は、電子デバイス６０の不可欠な部分ではなく、本発明の本質を変えることなく要件に応じて省略されてもよいことは理解されよう。
【０１３０】
プロセッサ６０８は、電子デバイス６０のコントロールセンターであり、様々なインタフェースおよびケーブルを用いて電子デバイス６０全体の全ての部分を接続し、電子デバイス６０の様々な機能を実行し、メモリ６０２に記憶されたコンピュータプログラムおよび／またはモジュールを動作させるまたは実行すること、およびメモリ６０２に記憶されたデータを呼び出すことによりデータ処理を行い、それにより電子デバイス６０の全面的なモニタリングを行う。任意選択的に、プロセッサ６０８は、１または複数の処理コアを含んでよい。好ましくは、プロセッサ６０８は、アプリケーションプロセッサおよびモデムプロセッサを一体化してよい。アプリケーションプロセッサは主にオペレーティングシステム、ユーザインタフェース、およびアプリケーションプログラム等を処理し、モデムプロセッサは主に無線通信を処理する。モデムプロセッサは、プロセッサ６０８に一体化されていなくてよいことは理解されよう。
【０１３１】
電子デバイス６０は、各コンポーネントに電力を供給する電源６０９（バッテリなど）をさらに含む。好ましくは、電源は、電源管理システムを用いてプロセッサ６０８に論理的に接続されてよく、それにより、当該電源管理システムを用いて充電管理、放電管理、および電力消費管理などの機能を実現する。電源６０９は、１または複数の直流または交流電源、再充電可能システム、電源異常検出回路、電源コンバータまたはインバータ、および電源ステータスインジケータなどの任意のコンポーネントをさらに含んでよい。
【０１３２】
図に示してはいないが、電子デバイス６０は、カメラレンズ、およびＢｌｕｅｔｏｏｔｈ（登録商標）モジュール等をさらに含んでよく、詳細はここでは説明しない。具体的には、本発明の本実施形態において、電子デバイスの出力装置６０４（または入力装置６０３）は、タッチスクリーンディスプレイである。電子デバイスはさらに、メモリ６０２と、プロセッサ６０８と、１または複数のコンピュータプログラムとを備える。１または複数のコンピュータプログラムは、メモリ６０２に記憶され、プロセッサ６０８は、以下の段階を行うべく、メモリ６０２（不揮発性メモリ）に記憶されたマルチメディアファイル管理プログラムを呼び出すよう構成される。
【０１３３】
プロセッサ６０８は、電子デバイスに記憶された複数のマルチメディアファイルを予め設定されたルールに従って分類して、少なくとも第１のマルチメディアファイルセットを取得する。第１のマルチメディアファイルセットは、当該予め設定されたルールを満たす複数のマルチメディアファイルにそれぞれ対応するアイコンを含む。
【０１３４】
プロセッサ６０８は、第１のマルチメディアファイルセットにおける過去のユーザ操作の回数が最も多い１または複数のマルチメディアファイルを、第１のマルチメディアファイルセットのコーディネートファイルとして決定する。
【０１３５】
プロセッサ６０８は、出力装置６０４を用いて、コーディネートファイルと第１のマルチメディアファイルセットにおける別のマルチメディアファイルとを区別して表示するべく、コーディネートファイルに対して特別なマーキングを行う。
【０１３６】
任意選択的に、プロセッサ６０８が、電子デバイスに記憶された複数のマルチメディアファイルを予め設定されたルールに従って分類することは、プロセッサ６０８が、マルチメディアファイルの作成時期に従って、電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、プロセッサ６０８が、マルチメディアファイルが作成された地理的位置に関する情報に従って、電子デバイスに記憶され、同じ地理的位置情報を有する複数のマルチメディアファイルを、マルチメディアファイルセットとしてグループ化するオペレーション、プロセッサ６０８が、マルチメディアファイルの作成時期に従って、電子デバイスに記憶され、同じ月の同じ日に作成された複数のマルチメディアファイルを、マルチメディアファイルセットとしてグループ化するオペレーション、プロセッサ６０８が、マルチメディアファイルの作成時期に従って、電子デバイスに記憶され、作成時刻が第２の予め設定された期間内である複数のマルチメディアファイルを、マルチメディアファイルセットとしてグループ化するオペレーション、プロセッサ６０８が、マルチメディアファイルの内容に従って、１または複数の指定オブジェクトを含む複数のマルチメディアファイルを、マルチメディアファイルセットとしてグループ化するオペレーション、または、プロセッサ６０８が、マルチメディアファイルのラベルに従って、電子デバイスに記憶され、同じラベルを有する複数のマルチメディアファイルを、マルチメディアファイルセットとしてグループ化するオペレーションのうちの少なくとも１つを含む。
【０１３７】
任意選択的に、プロセッサ６０８が、コーディネートファイルと第１のマルチメディアファイルセットにおける別のマルチメディアファイルとを区別して表示するべく、コーディネートファイルに対して特別なマーキングを行う上述の段階を行った後に、プロセッサ６０８はさらに、過去のユーザ操作をマーキングするアイコンをコーディネートファイルに追加してよい。
【０１３８】
任意選択的に、プロセッサ６０８が、コーディネートファイルと第１のマルチメディアファイルセットにおける別のマルチメディアファイルとを区別して表示するべく、コーディネートファイルに対して特別なマーキングを行う上述の段階を行った後に、プロセッサ６０８はさらに、入力装置６０３を用いて、第１のマルチメディアファイルセットに属さない１または複数の対象マルチメディアファイルに対してユーザにより行われる操作を受け取り、当該操作が予め設定された第１の操作を満たす場合、当該１または複数の対象マルチメディアファイルを第１のマルチメディアファイルセットとしてグループ化してよい、または、プロセッサ６０８は、入力装置６０３を用いて、第１のマルチメディアファイルセットにおける１または複数の対象マルチメディアファイルに対してユーザにより行われる操作を受け取り、当該操作が予め設定された第２の操作を満たす場合、当該１または複数の対象マルチメディアファイルが第１のマルチメディアファイルセットとしてグループ化されなくなるよう、当該１または複数の対象マルチメディアファイルを第１のマルチメディアファイルセットから分離する。
【０１３９】
任意選択的に、プロセッサ６０８が、第１のマルチメディアファイルセットにおける過去のユーザ操作の回数が最も多いマルチメディアファイルを、対象の分類ファイルのコーディネートファイルとして決定することは、具体的には、プロセッサ６０８が、第１のマルチメディアファイルセットにおける過去のユーザ操作の回数が最も多いマルチメディアファイルが複数ある場合に、マルチメディアファイルの作成時期に従って、最も中間のマルチメディアファイルを第１のマルチメディアファイルセットのコーディネートファイルとして決定することである。
【０１４０】
任意選択的に、特別なマーキングは、具体的には、拡大による表示、フレームを追加した表示、マークを追加した表示、特別な色を用いた表示、特別なパターンを用いた表示、または動的な表示のうちの少なくとも１つである。
【０１４１】
任意選択的に、プロセッサ６０８が、コーディネートファイルと第１のマルチメディアファイルセットにおける別のマルチメディアファイルとを区別して表示するべく、コーディネートファイルに対して特別なマーキングを行うことは、具体的には、プロセッサ６０８が、コーディネートファイルと第１のマルチメディアファイルセットにおける別のマルチメディアファイルを区別して表示するべく、コーディネートファイル以外の第１のマルチメディアファイルセットにおける別のマルチメディアファイルをコーディネートファイルの下に隠すことである。
【０１４２】
任意選択的に、過去のユーザ操作は、具体的には、閲覧、編集、共有、マーキング、または使用のうちの少なくとも１つである。
【０１４３】
本発明の本実施形態において説明されている電子デバイス６０における各機能モジュールの機能は、具体的には上述した方法の実施形態における方法に従って実現されてよく、ここでは詳細を再度説明しないことに留意されたい。
【０１４４】
本発明の実施形態における上述の解決手段のより良好な実現を促進するべく、本発明の一実施形態は、電子デバイス上のグラフィカルユーザインタフェースをさらに提供する。電子デバイスは、ディスプレイと、１または複数のユーザ入力デバイスと、メモリと、メモリに記憶された１または複数のコンピュータプログラムを実行するための１または複数のプロセッサとを備える。本発明の本実施形態において、ディスプレイはタッチスクリーンディスプレイであってよく、タッチスクリーンディスプレイはタッチ感応面および表示パネルを含み、タッチ感応面はユーザの操作を受け取るよう構成され、表示パネルはアイコンなどの内容を表示するよう構成される。グラフィカルユーザインタフェースは、第１のマルチメディアファイル（フォルダではない）を示す第１のマルチメディアファイルアイコンと、第２のマルチメディアファイルまたはフォルダ（当該フォルダは１または複数のマルチメディアファイルを含んでよい）を示す第２のマルチメディアファイルアイコンとを少なくとも含む。以下、図７Ａから図７Ｆにおけるグラフィカルユーザインタフェースの概略図を参照して、グラフィカルユーザインタフェースについて詳細に説明する。  図７Ａを参照すると、図７Ａは、本発明の一実施形態に係るグラフィカルユーザインタフェースの概略図である。図７Ａにおいて、グラフィカルユーザインタフェース７０は、第１のマルチメディアファイルアイコン７０１および第２のマルチメディアファイルアイコン７０２を含む。マルチメディアファイルは、写真、ピクチャ、音声、動画、および文書等を含むが、これらに限定されない。マルチメディアファイルアイコンは、写真に対応するサムネイル、ピクチャに対応するサムネイル、音声ファイルに対応するアイコン、動画ファイルに対応するピクチャ、文書に対応するアイコン、およびフォルダに対応するアイコン等を含むが、これらに限定されない。
【０１４５】
第１のマルチメディアファイルアイコン７０１は、第１の表示方式でディスプレイ上に表示され、第２のマルチメディアファイルアイコン７０２は、第２の表示方式でディスプレイ上に表示され、第１の表示方式は、第２の表示方式とは異なる。
【０１４６】
第２のマルチメディアファイルアイコン７０２を第１のマルチメディアファイルアイコン７０１と結合するためにユーザにより行われる結合操作が検出される。
【０１４７】
結合操作が検出されたことに応答して、第１のマルチメディアファイルアイコン７０１は依然として第１の表示方式でディスプレイ上に表示されるが、第２のマルチメディアファイルアイコン７０２の表示は停止される。
【０１４８】
具体的には、グラフィカルユーザインタフェース７０において、グラフィカルユーザインタフェース上でまたはその近傍でユーザにより入力されるタッチ操作（押下操作またはスライド操作等を含むがこれらに限定されない）のタッチ情報（タッチ点の座標、タッチの力、タッチ時間、およびタッチ方向等を含む）が検出されてよい。
【０１４９】
任意選択的に、第１の表示方式は、具体的には、拡大による表示、フレームを追加した表示、マークを追加した表示、特別な色を用いた表示、特別なパターンを用いた表示、または動的な表示のうちの少なくとも１つである。図７Ａにおいては、例として、第１のマルチメディアファイルアイコン７０１が拡大によって表示されることが用いられている。
【０１５０】
任意選択的に、第２のマルチメディアファイルアイコンを第１のマルチメディアファイルアイコンと結合する結合操作は、具体的には、第２のマルチメディアファイルアイコンを第１のマルチメディアファイルアイコンにドラッグすることである。
【０１５１】
例えば、図７Ｂを参照すると、図７Ｂは、本発明の一実施形態に係る別のグラフィカルユーザインタフェースの概略図である。図７Ｂにおいて、グラフィカルユーザインタフェース７０は、ユーザによる第２のマルチメディアファイルアイコン７０２を第１のマルチメディアファイルアイコン７０１にドラッグする操作を検出する。図７Ｃを参照すると、図７Ｃは、第２のマルチメディアファイルアイコン７０２が第１のマルチメディアファイルアイコン７０１と結合された後に得られる概略画面図である。図７Ｃにおいて、第２のマルチメディアファイルアイコン７０２は第１のマルチメディアファイルアイコン７０１の下に隠れており、第１のマルチメディアファイルアイコン７０１は依然として拡大によって表示されているが、第２のマルチメディアファイルアイコン７０２は表示されなくなっている。
【０１５２】
図７Ａにおいて説明されるグラフィカルユーザインタフェースにおいては、異なるマルチメディアファイルを区別して表示することができ、これによりユーザは、所望のマルチメディアファイルをそれに従って閲覧し、マルチメディアファイルアイコンを利便性よくかつすばやく管理および分類することができる。このようにして、グラフィカルユーザインタフェースの表示方式が最適化され、グラフィカルユーザインタフェースがより簡潔になる。
【０１５３】
任意選択的に、グラフィカルユーザインタフェースは、第１のマルチメディアファイルアイコン７０１に対してユーザにより行われるオープン操作が検出されたことに応答して、第１のマルチメディアファイルアイコン７０１をディスプレイ上に表示し、第２のマルチメディアファイルアイコン７０２を再表示する機能をさらに備えてよく、それにより、ユーザがグループ化された各マルチメディアファイルを閲覧する助けとなる。第１のマルチメディアファイルアイコン７０１の表示方式は、第１の表示方式であってもよく、または別の表示方式であってもよい。第２のマルチメディアファイルアイコン７０２の表示方式は、第２の表示方式であってもよく、または別の表示方式であってもよい。加えて、第１のマルチメディアファイルアイコン７０１の表示方式は、第２のマルチメディアファイルアイコン７０２の表示方式と同じであっても異なっていてもよい。これは、本発明の本実施形態において具体的に限定されない。
【０１５４】
任意選択的に、第１のマルチメディアファイルアイコンに対するオープン操作は、具体的には、予め設定された条件を満たす押下操作、スライド操作、またはフロート操作のうちの少なくとも１つであり、オープン操作は結合操作とは異なる。押下操作は、シングルタップ、ダブルタップ、トリプルタップ、長押し、短押し、軽いタッチ、または予め設定された圧力値を用いた押下等を含むが、これらに限定されない。長押しの押下時間は、短押しの押下時間よりも長い。例えば、短押しの押下時間は１秒であってよく、長押しの押下時間は２秒、３秒、または５秒等であってよい。軽いタッチは、１ニュートンの押下等であってよい。予め設定された圧力値は、２ニュートン、３ニュートン、または５ニュートン等であってよい。スライド操作は、予め設定された方向へのスライド、または予め設定されたパターンを用いたスライド等を含むが、これらに限定されない。予め設定された方向は、予め設定された上方向、予め設定された下方向、予め設定された左方向、または予め設定された右方向等を含むが、これらに限定されない。予め設定されたパターンは、三角、円、またはジグザグ等を含むが、これらに限定されない。フロート操作は、拳を握る、手を振る、または親指を立てるなどの予め設定された空中ジェスチャを含むが、これらに限定されない。
【０１５５】
例えば、図７Ｄを参照すると、図７Ｄは、本発明の一実施形態に係る別のグラフィカルユーザインタフェースの概略図である。図７Ｄにおいて、グラフィカルユーザインタフェース７０は、第１のマルチメディアファイルアイコン７０１に対してユーザにより行われるダブルタップ操作を検出した場合、隠れた第２のマルチメディアファイルアイコン７０２を再表示し、第１のマルチメディアファイルアイコン７０１の表示を継続する。第１のマルチメディアファイルアイコン７０１に対してダブルタップが行われた後、第１のマルチメディアファイルアイコン７０１および第２のマルチメディアファイルアイコン７０２の表示方式は、図７Ａに示すものであってよい、すなわち第１のマルチメディアファイルアイコン７０１が拡大により表示されるか、または図７Ｅに示すものであってよい。図７Ｅにおいて、第１のマルチメディアファイルアイコン７０１および第２のマルチメディアファイルアイコン７０２は、同じ方式でグラフィカルユーザインタフェース７０上に表示されている。
【０１５６】
任意選択的に、グラフィカルユーザインタフェースは、第１のマルチメディアファイルアイコン７０１に対してユーザにより行われるマーキング操作が検出されたことに応答して、過去のユーザ操作をマーキングするアイコンをディスプレイ上に追加的に表示する機能をさらに備え、これによりユーザは、第１のマルチメディアファイルに関する詳細な情報を把握する。
【０１５７】
具体的には、マーキング操作はオープン操作とは異なり、マーキング操作は、シングルタップ、ダブルタップ、長押し、短押し、または予め設定された圧力値を用いた押下等を含むが、これらに限定されない。例えば、図７Ｄにおいて、グラフィカルユーザインタフェースが第１のマルチメディアファイルアイコン７０１に対してユーザにより行われる長押し操作を検出した場合、アイコンがグラフィカルユーザインタフェース７０上に表示されて、ユーザが第１のマルチメディアファイルのアイコン内容注記を閲覧する助けとなる、またはユーザがアイコンを第１のマルチメディアファイルに追加する助けとなる。図７Ｆを参照すると、図７Ｆにおいて、ラベル７０３が表示されており、ユーザは、テキスト情報等を当該ラベルに入力して、アイコンを第１のマルチメディアファイルに追加してよい。それによって、ユーザが後に第１のマルチメディアファイルに関する情報を閲覧する助けとなり、ユーザに利便性がもたらされる。
【０１５８】
本発明の上述の実施形態における図２Ｃから図２Ｅ、図３Ｂから図３Ｆ、図４Ｂから図４Ｄ、および図７Ａから図７Ｆにおける画面の最上部および最下部の破線領域における形状、色、表示される制御コンポーネント（メニューキー、ホームキー、またはリターンキー等）、および表示される内容（日または時間等）等は、任意選択的な表示方式に過ぎないことに留意されたい。実際の応用においては、当該破線領域は、別の形状および別の色を提示するものであってよく、別の制御コンポーネントおよび他の内容等を表示するものであってよい。これはここでは限定されない。
【０１５９】
本発明の実施形態における上述の解決手段のより良好な実現を促進するべく、本発明の一実施形態は、コンピュータ可読記憶媒体をさらに提供する。コンピュータ可読記憶媒体は、１または複数のコンピュータプログラムを記憶する。コンピュータ可読記憶媒体は、磁気ディスク、コンパクトディスク、リードオンリメモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）であってよい。１または複数のコンピュータプログラムは、電子デバイス内の１または複数のプロセッサ上で動作する。コンピュータプログラムが動作中であるときに、上述した方法の実施形態の手順が実現されてよい。電子デバイスは、ディスプレイおよび１または複数のアプリケーションプログラムを備える。ディスプレイは、タッチ感応面および表示パネルを含む。コンピュータプログラムが動作中であるときに、コンピュータが以下のオペレーションを実現してよい。コンピュータプログラムは、電子デバイスに記憶された複数のマルチメディアファイルを予め設定されたルールに従って分類して、少なくとも第１のマルチメディアファイルセットを取得するための命令であって、第１のマルチメディアファイルセットは、当該予め設定されたルールを満たす複数のマルチメディアファイルにそれぞれ対応するアイコンを含む、命令と、第１のマルチメディアファイルセットにおける過去のユーザ操作の回数が最も多い１または複数のマルチメディアファイルを、第１のマルチメディアファイルセットのコーディネートファイルとして決定するための命令と、コーディネートファイルと第１のマルチメディアファイルセットにおける別のマルチメディアファイルとを区別して表示するべく、コーディネートファイルに対して特別なマーキングを行うための命令とを含む。
【０１６０】
任意選択的に、電子デバイスに記憶された複数のマルチメディアファイルを予め設定されたルールに従って分類するための命令は、マルチメディアファイルの作成時期に従って、電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するための命令、マルチメディアファイルが作成された地理的位置に関する情報に従って、電子デバイスに記憶され、同じ地理的位置情報を有する複数のマルチメディアファイルを、マルチメディアファイルセットとしてグループ化するための命令、マルチメディアファイルの作成時期に従って、電子デバイスに記憶され、同じ月の同じ日に作成された複数のマルチメディアファイルを、マルチメディアファイルセットとしてグループ化するための命令、マルチメディアファイルの作成時期に従って、電子デバイスに記憶され、作成時刻が第２の予め設定された期間内である複数のマルチメディアファイルを、マルチメディアファイルセットとしてグループ化するための命令、マルチメディアファイルの内容に従って、１または複数の指定オブジェクトを含む複数のマルチメディアファイルを、マルチメディアファイルセットとしてグループ化するための命令、または、マルチメディアファイルのラベルに従って、電子デバイスに記憶され、同じラベルを有する複数のマルチメディアファイルを、マルチメディアファイルセットとしてグループ化するための命令のうちの少なくとも１つを含む。
【０１６１】
任意選択的に、コーディネートファイルと第１のマルチメディアファイルセットにおける別のマルチメディアファイルとを区別して表示するべく、コーディネートファイルに対して特別なマーキングを行うための命令が実行された後に、コンピュータプログラムはさらに、過去のユーザ操作をマーキングするアイコンをコーディネートファイルに追加するための命令を含む。
【０１６２】
任意選択的に、コーディネートファイルと第１のマルチメディアファイルセットにおける別のマルチメディアファイルとを区別して表示するべく、コーディネートファイルに対して特別なマーキングを行うための命令が実行された後に、コンピュータプログラムはさらに、第１のマルチメディアファイルセットに属さない１または複数の対象マルチメディアファイルに対してユーザにより行われる操作を受け取り、当該操作が予め設定された第１の操作を満たす場合、当該１または複数の対象マルチメディアファイルを第１のマルチメディアファイルセットとしてグループ化するための命令、または、第１のマルチメディアファイルセットにおける１または複数の対象マルチメディアファイルに対してユーザにより行われる操作を受け取り、当該操作が予め設定された第２の操作を満たす場合、当該１または複数の対象マルチメディアファイルが第１のマルチメディアファイルセットとしてグループ化されなくなるよう、当該１または複数の対象マルチメディアファイルを第１のマルチメディアファイルセットから分離するための命令を含む。
【０１６３】
任意選択的に、第１のマルチメディアファイルセットにおける過去のユーザ操作の回数が最も多いマルチメディアファイルを、対象の分類ファイルのコーディネートファイルとして決定するための命令は、第１のマルチメディアファイルセットにおける過去のユーザ操作の回数が最も多いマルチメディアファイルが複数ある場合に、マルチメディアファイルの作成時期に従って、最も中間のマルチメディアファイルを第１のマルチメディアファイルセットのコーディネートファイルとして決定するための命令を含む。
【０１６４】
任意選択的に、特別なマーキングは、具体的には、拡大による表示、フレームを追加した表示、マークを追加した表示、特別な色を用いた表示、特別なパターンを用いた表示、または動的な表示のうちの少なくとも１つである。
【０１６５】
任意選択的に、コーディネートファイルと第１のマルチメディアファイルセットにおける別のマルチメディアファイルとを区別して表示するべく、コーディネートファイルに対して特別なマーキングを行うための命令は、コーディネートファイルと第１のマルチメディアファイルセットにおける別のマルチメディアファイルを区別して表示するべく、コーディネートファイル以外の第１のマルチメディアファイルセットにおける別のマルチメディアファイルをコーディネートファイルの下に隠すための命令を含む。
【０１６６】
任意選択的に、過去のユーザ操作は、具体的には、閲覧、編集、共有、マーキング、または使用のうちの少なくとも１つである。
【０１６７】
結論として、本発明の実施形態によれば、電子デバイスは、電子デバイスに記憶された複数のマルチメディアファイルを予め設定されたルールに従って分類して、各マルチメディアファイルセットを取得する。第１のマルチメディアファイルセットにおいて、電子デバイスは、第１のマルチメディアファイルセットにおける過去のユーザ操作の回数が最も多いマルチメディアファイルを第１のマルチメディアファイルセットのコーディネートファイルとして選択し、電子デバイスのグラフィカルユーザインタフェースを用いて、コーディネートファイルと第１のマルチメディアファイルセットにおける別のマルチメディアファイルとを区別して表示するべく、選択されたコーディネートファイルに対して特別なマーキングを行う。これは、ユーザがマルチメディアファイルを大量のマルチメディアファイルから検索するときに、ユーザがコーディネートファイルを検索の手掛かりとして用いることにより所望のマルチメディアファイルをすばやく見つける助けとすることができ、それによってマルチメディアファイルの検索効率が向上し、ユーザに利便性がもたらされる。
【０１６８】
さらに、電子デバイスは、コーディネートファイルに関する情報を充実させるべく、アイコンマークをコーディネートファイルに追加する。これはさらに、ユーザがコーディネートファイルのステータスを把握する助けとなり、これによりユーザは、コーディネートファイルを用いて所望のマルチメディアファイルをすばやく見つける。またさらに、電子デバイスが記憶された複数のマルチメディアファイルを自動的に分類した後、ユーザが手動で調整を行ってよい。これはユーザが分類表示結果を調整する助けとなり、これにより、電子デバイスのインテリジェント分類の不都合点が改善され、ユーザの個人的な要求事項が満たされる。
【０１６９】
ここでは本発明が上記実施形態に関して説明されているが、本発明の保護範囲は限定されるべきではない。保護を求める本発明の実現過程において、当業者であれば、添付の図面、開示の内容、および添付の特許請求の範囲を閲覧することにより、上述の実施形態における全てまたは一部の手順を理解および実現できよう。本発明の特許請求の範囲に係る均等的な変更は、本発明の範囲に属するものとする。特許請求の範囲において、「備える」は、別の構成要素または別の段階を除外するものではなく、「１」または「１つ」は、複数の場合を除外するものではない。単一のプロセッサまたは別のユニットが、特許請求の範囲において挙げられるいくつかの機能を実現してよい。いくつかの手段が、互いに異なる従属請求項に記載されているが、このことは、これらの手段を組み合わせてより良い効果を生じさせることができないことを意味するものではない。コンピュータプログラムが、光記憶媒体または固体媒体などの適当な媒体に記憶／分散されてよく、他のハードウェアと共に提供またはハードウェアの一部として使用されてよい、あるいは、別の方式で、例えばインターネット（Ｉｎｔｅｒｎｅｔ）または別の有線もしくは無線システムを用いて分散されてもよい。
【図１】
2019508784.tif 000004
【図２Ａ】
2019508784.tif 000005
【図２Ｂ】
2019508784.tif 000006
【図２Ｃ】
2019508784.tif 000007
【図２Ｄ】
2019508784.tif 000008
【図２Ｅ】
2019508784.tif 000009
【図３Ａ】
2019508784.tif 000010
【図３Ｂ】
2019508784.tif 000011
【図３Ｃ】
2019508784.tif 000012
【図３Ｄ】
2019508784.tif 000013
【図３Ｅ】
2019508784.tif 000014
【図３Ｆ】
2019508784.tif 000015
【図４Ａ】
2019508784.tif 000016
【図４Ｂ】
2019508784.tif 000017
【図４Ｃ】
2019508784.tif 000018
【図４Ｄ】
2019508784.tif 000019
【図５Ａ】
2019508784.tif 000020
【図５Ｂ】
2019508784.tif 000021
【図５Ｃ】
2019508784.tif 000022
【図６】
2019508784.tif 000023
【図７Ａ】
2019508784.tif 000024
【図７Ｂ】
2019508784.tif 000025
【図７Ｃ】
2019508784.tif 000026
【図７Ｄ】
2019508784.tif 000027
【図７Ｅ】
2019508784.tif 000028
【図７Ｆ】
2019508784.tif 000029
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
電子デバイスに適用されるマルチメディアファイル管理方法であって、
前記電子デバイスに記憶された複数のマルチメディアファイルを予め設定されたルールに従って分類して、少なくとも第１のマルチメディアファイルセットを取得する段階であって、前記第１のマルチメディアファイルセットは、前記予め設定されたルールを満たす複数のマルチメディアファイルにそれぞれ対応するアイコンを含む、段階と、
前記第１のマルチメディアファイルセットにおける過去のユーザ操作の回数が最も多い１または複数のマルチメディアファイルを、前記第１のマルチメディアファイルセットのコーディネートファイルとして決定する段階と、
前記コーディネートファイルと前記第１のマルチメディアファイルセットにおける別のマルチメディアファイルとを区別して表示するべく、前記コーディネートファイルに対して特別なマーキングを行う段階と
を備える、方法。
【請求項２】
前記電子デバイスに記憶された複数のマルチメディアファイルを予め設定されたルールに従って分類する前記段階は、
前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記マルチメディアファイルの作成時期に従って、前記電子デバイスに記憶され、同じ月の同じ日に作成された複数のマルチメディアファイルを、マルチメディアファイルセットとしてグループ化するオペレーション、
前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記マルチメディアファイルの内容に従って、１または複数の指定オブジェクトを含む複数のマルチメディアファイルを、マルチメディアファイルセットとしてグループ化するオペレーション、または
前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを含む、
請求項１に記載の方法。
【請求項３】
前記コーディネートファイルと前記第１のマルチメディアファイルセットにおける別のマルチメディアファイルとを区別して表示するべく、前記コーディネートファイルに対して特別なマーキングを行う前記段階の後に、
前記過去のユーザ操作をマーキングするアイコンを前記コーディネートファイルに追加する段階
をさらに備える、請求項１または２に記載の方法。
【請求項４】
前記コーディネートファイルと前記第１のマルチメディアファイルセットにおける別のマルチメディアファイルとを区別して表示するべく、前記コーディネートファイルに対して特別なマーキングを行う前記段階の後に、
前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する段階、または
前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する段階
をさらに備える、請求項１から３のいずれか一項に記載の方法。
【請求項５】
前記第１のマルチメディアファイルセットにおける過去のユーザ操作の回数が最も多いマルチメディアファイルを、前記対象の分類ファイルのコーディネートファイルとして決定する前記段階は、
前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定する段階
を含む、
請求項１から４のいずれか一項に記載の方法。
【請求項６】
前記特別なマーキングは、具体的には、拡大による表示、フレームを追加した表示、マークを追加した表示、特別な色を用いた表示、特別なパターンを用いた表示、または動的な表示のうちの少なくとも１つである、
請求項１から５のいずれか一項に記載の方法。
【請求項７】
前記コーディネートファイルと前記第１のマルチメディアファイルセットにおける別のマルチメディアファイルとを区別して表示するべく、前記コーディネートファイルに対して特別なマーキングを行う前記段階は、
前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠す段階
を含む、
請求項１から５のいずれか一項に記載の方法。
【請求項８】
前記過去のユーザ操作は、具体的には、閲覧、編集、共有、マーキング、または使用のうちの少なくとも１つである、
請求項１から７のいずれか一項に記載の方法。
【請求項９】
入力装置と、出力装置と、１または複数のプロセッサと、メモリと、１または複数のコンピュータプログラムとを備える電子デバイスであって、
前記１または複数のコンピュータプログラムは、前記メモリに記憶され、前記１または複数のプロセッサにより実行されるよう構成され、
前記１または複数のプロセッサは、前記電子デバイスに記憶された複数のマルチメディアファイルを予め設定されたルールに従って分類して、少なくとも第１のマルチメディアファイルセットを取得し、前記第１のマルチメディアファイルセットは、前記予め設定されたルールを満たす複数のマルチメディアファイルにそれぞれ対応するアイコンを含み、
前記１または複数のプロセッサは、前記第１のマルチメディアファイルセットにおける過去のユーザ操作の回数が最も多い１または複数のマルチメディアファイルを、前記第１のマルチメディアファイルセットのコーディネートファイルとして決定し、
前記１または複数のプロセッサは、前記コーディネートファイルと前記第１のマルチメディアファイルセットにおける別のマルチメディアファイルとを区別して表示するべく、前記コーディネートファイルに対して特別なマーキングを行う、
電子デバイス。
【請求項１０】
前記１または複数のプロセッサが、前記電子デバイスに記憶された複数のマルチメディアファイルを予め設定されたルールに従って分類することは、
前記１または複数のプロセッサが、前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記１または複数のプロセッサが、前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記１または複数のプロセッサが、前記マルチメディアファイルの作成時期に従って、前記電子デバイスに記憶され、同じ月の同じ日に作成された複数のマルチメディアファイルを、マルチメディアファイルセットとしてグループ化するオペレーション、
前記１または複数のプロセッサが、前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記１または複数のプロセッサが、前記マルチメディアファイルの内容に従って、１または複数の指定オブジェクトを含む複数のマルチメディアファイルを、マルチメディアファイルセットとしてグループ化するオペレーション、または
前記１または複数のプロセッサが、前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを含む、
請求項９に記載の電子デバイス。
【請求項１１】
前記１または複数のプロセッサが、前記コーディネートファイルと前記第１のマルチメディアファイルセットにおける別のマルチメディアファイルとを区別して表示するべく、前記コーディネートファイルに対して特別なマーキングを行った後に、
前記１または複数のプロセッサは、前記過去のユーザ操作をマーキングするアイコンを前記コーディネートファイルに追加する、
請求項９または１０に記載の電子デバイス。
【請求項１２】
前記１または複数のプロセッサが、前記コーディネートファイルと前記第１のマルチメディアファイルセットにおける前記別のマルチメディアファイルとを区別して表示するべく、前記コーディネートファイルに対して特別なマーキングを行った後に、
前記１または複数のプロセッサは、前記入力装置を用いて、前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する、または
前記１または複数のプロセッサは、前記入力装置を用いて、前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する、
請求項９から１１のいずれか一項に記載の電子デバイス。
【請求項１３】
前記１または複数のプロセッサが、前記第１のマルチメディアファイルセットにおける過去のユーザ操作の回数が最も多いマルチメディアファイルを、前記対象の分類ファイルのコーディネートファイルとして決定することは、
前記１または複数のプロセッサが、前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定すること
を含む、
請求項９から１２のいずれか一項に記載の電子デバイス。
【請求項１４】
前記特別なマーキングは、具体的には、拡大による表示、フレームを追加した表示、マークを追加した表示、特別な色を用いた表示、特別なパターンを用いた表示、または動的な表示のうちの少なくとも１つである、
請求項９から１３のいずれか一項に記載の電子デバイス。
【請求項１５】
前記１または複数のプロセッサが、前記コーディネートファイルと前記第１のマルチメディアファイルセットにおける前記別のマルチメディアファイルとを区別して表示するべく、前記コーディネートファイルに対して特別なマーキングを行うことは、
前記１または複数のプロセッサが、前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠すこと
を含む、
請求項９から１３のいずれか一項に記載の電子デバイス。
【請求項１６】
前記過去のユーザ操作は、具体的には、閲覧、編集、共有、マーキング、または使用のうちの少なくとも１つである、
請求項９から１５のいずれか一項に記載の電子デバイス。
【請求項１７】
１または複数のコンピュータプログラムを記憶するコンピュータ可読記憶媒体であって、
前記１または複数のコンピュータプログラムは、命令を含み、
ディスプレイおよび１または複数のアプリケーションプログラムを含む電子デバイスは、前記命令が前記電子デバイスにより実行されると、請求項１から８のいずれか一項に記載の方法を行い、
前記ディスプレイは、タッチ感応面および表示パネルを含む、
コンピュータ可読記憶媒体。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
電子デバイスに適用されるマルチメディアファイル管理方法であって、
前記電子デバイスに記憶された複数のマルチメディアファイルを予め設定されたルールに従って分類して、少なくとも第１のマルチメディアファイルセットを取得する段階であって、前記第１のマルチメディアファイルセットは、前記予め設定されたルールを満たす複数のマルチメディアファイルにそれぞれ対応するアイコンを含む、段階と、
前記第１のマルチメディアファイルセットにおける過去のユーザ操作の回数が最も多い１または複数のマルチメディアファイルを、前記第１のマルチメディアファイルセットのコーディネートファイルとして決定する段階と、
前記コーディネートファイルと前記第１のマルチメディアファイルセットにおける別のマルチメディアファイルとを区別して表示するべく、前記コーディネートファイルに対して特別なマーキングを行う段階と
を備える、方法。
【請求項２】
前記電子デバイスに記憶された複数のマルチメディアファイルを予め設定されたルールに従って分類する前記段階は、
前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記マルチメディアファイルの作成時期に従って、前記電子デバイスに記憶され、同じ月の同じ日に作成された複数のマルチメディアファイルを、マルチメディアファイルセットとしてグループ化するオペレーション、
前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記マルチメディアファイルの内容に従って、１または複数の指定オブジェクトを含む複数のマルチメディアファイルを、マルチメディアファイルセットとしてグループ化するオペレーション、または
前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを含む、
請求項１に記載の方法。
【請求項３】
前記コーディネートファイルと前記第１のマルチメディアファイルセットにおける別のマルチメディアファイルとを区別して表示するべく、前記コーディネートファイルに対して特別なマーキングを行う前記段階の後に、
前記過去のユーザ操作をマーキングするアイコンを前記コーディネートファイルに追加する段階
をさらに備える、請求項１または２に記載の方法。
【請求項４】
前記コーディネートファイルと前記第１のマルチメディアファイルセットにおける別のマルチメディアファイルとを区別して表示するべく、前記コーディネートファイルに対して特別なマーキングを行う前記段階の後に、
前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する段階、または
前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する段階
をさらに備える、請求項１から３のいずれか一項に記載の方法。
【請求項５】
前記第１のマルチメディアファイルセットにおける過去のユーザ操作の回数が最も多いマルチメディアファイルを、前記第１のマルチメディアファイルセットのコーディネートファイルとして決定する前記段階は、
前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定する段階
を含む、
請求項１から４のいずれか一項に記載の方法。
【請求項６】
前記特別なマーキングは、拡大による表示、フレームを追加した表示、マークを追加した表示、特別な色を用いた表示、特別なパターンを用いた表示、または動的な表示のうちの少なくとも１つである、
請求項１から５のいずれか一項に記載の方法。
【請求項７】
前記コーディネートファイルと前記第１のマルチメディアファイルセットにおける別のマルチメディアファイルとを区別して表示するべく、前記コーディネートファイルに対して特別なマーキングを行う前記段階は、
前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠す段階
を含む、
請求項１から５のいずれか一項に記載の方法。
【請求項８】
前記過去のユーザ操作は、閲覧、編集、共有、マーキング、または使用のうちの少なくとも１つである、
請求項１から７のいずれか一項に記載の方法。
【請求項９】
入力装置と、出力装置と、１または複数のプロセッサと、メモリと、１または複数のコンピュータプログラムとを備える電子デバイスであって、
前記１または複数のコンピュータプログラムは、前記メモリに記憶され、前記１または複数のプロセッサにより実行されるよう構成され、
前記１または複数のプロセッサは、前記電子デバイスに記憶された複数のマルチメディアファイルを予め設定されたルールに従って分類して、少なくとも第１のマルチメディアファイルセットを取得し、前記第１のマルチメディアファイルセットは、前記予め設定されたルールを満たす複数のマルチメディアファイルにそれぞれ対応するアイコンを含み、
前記１または複数のプロセッサは、前記第１のマルチメディアファイルセットにおける過去のユーザ操作の回数が最も多い１または複数のマルチメディアファイルを、前記第１のマルチメディアファイルセットのコーディネートファイルとして決定し、
前記１または複数のプロセッサは、前記コーディネートファイルと前記第１のマルチメディアファイルセットにおける別のマルチメディアファイルとを区別して表示するべく、前記コーディネートファイルに対して特別なマーキングを行う、
電子デバイス。
【請求項１０】
前記１または複数のプロセッサが、前記電子デバイスに記憶された複数のマルチメディアファイルを予め設定されたルールに従って分類することは、
前記１または複数のプロセッサが、前記マルチメディアファイルの作成時期に従って、前記電子デバイスに記憶され、同じ年の同じ月の同じ日に作成され、第１の予め設定された期間における作成数が予め設定された条件を満たす複数のマルチメディアファイルを、マルチメディアファイルセットとしてグループ化するオペレーション、
前記１または複数のプロセッサが、前記マルチメディアファイルが作成された地理的位置に関する情報に従って、前記電子デバイスに記憶され、同じ地理的位置情報を有する複数のマルチメディアファイルを、マルチメディアファイルセットとしてグループ化するオペレーション、
前記１または複数のプロセッサが、前記マルチメディアファイルの作成時期に従って、前記電子デバイスに記憶され、同じ月の同じ日に作成された複数のマルチメディアファイルを、マルチメディアファイルセットとしてグループ化するオペレーション、
前記１または複数のプロセッサが、前記マルチメディアファイルの作成時期に従って、前記電子デバイスに記憶され、作成時刻が第２の予め設定された期間内である複数のマルチメディアファイルを、マルチメディアファイルセットとしてグループ化するオペレーション、
前記１または複数のプロセッサが、前記マルチメディアファイルの内容に従って、１または複数の指定オブジェクトを含む複数のマルチメディアファイルを、マルチメディアファイルセットとしてグループ化するオペレーション、または
前記１または複数のプロセッサが、前記マルチメディアファイルのラベルに従って、前記電子デバイスに記憶され、同じラベルを有する複数のマルチメディアファイルを、マルチメディアファイルセットとしてグループ化するオペレーション
のうちの少なくとも１つを含む、
請求項９に記載の電子デバイス。
【請求項１１】
前記１または複数のプロセッサが、前記コーディネートファイルと前記第１のマルチメディアファイルセットにおける別のマルチメディアファイルとを区別して表示するべく、前記コーディネートファイルに対して特別なマーキングを行った後に、
前記１または複数のプロセッサは、前記過去のユーザ操作をマーキングするアイコンを前記コーディネートファイルに追加する、
請求項９または１０に記載の電子デバイス。
【請求項１２】
前記１または複数のプロセッサが、前記コーディネートファイルと前記第１のマルチメディアファイルセットにおける前記別のマルチメディアファイルとを区別して表示するべく、前記コーディネートファイルに対して特別なマーキングを行った後に、
前記１または複数のプロセッサは、前記入力装置を用いて、前記第１のマルチメディアファイルセットに属さない１または複数の対象マルチメディアファイルに対してユーザにより行われる操作を受け取り、前記操作が予め設定された第１の操作を満たす場合、前記１または複数の対象マルチメディアファイルを前記第１のマルチメディアファイルセットとしてグループ化する、または
前記１または複数のプロセッサは、前記入力装置を用いて、前記第１のマルチメディアファイルセットにおける１または複数の対象マルチメディアファイルに対してユーザにより行われる操作を受け取り、前記操作が予め設定された第２の操作を満たす場合、前記１または複数の対象マルチメディアファイルが前記第１のマルチメディアファイルセットとしてグループ化されなくなるよう、前記１または複数の対象マルチメディアファイルを前記第１のマルチメディアファイルセットから分離する、
請求項９から１１のいずれか一項に記載の電子デバイス。
【請求項１３】
前記１または複数のプロセッサが、前記第１のマルチメディアファイルセットにおける過去のユーザ操作の回数が最も多いマルチメディアファイルを、前記第１のマルチメディアファイルセットのコーディネートファイルとして決定することは、
前記１または複数のプロセッサが、前記第１のマルチメディアファイルセットにおける前記過去のユーザ操作の前記回数が最も多いマルチメディアファイルが複数ある場合に、前記マルチメディアファイルの作成時期に従って、最も中間のマルチメディアファイルを前記第１のマルチメディアファイルセットの前記コーディネートファイルとして決定すること
を含む、
請求項９から１２のいずれか一項に記載の電子デバイス。
【請求項１４】
前記特別なマーキングは、拡大による表示、フレームを追加した表示、マークを追加した表示、特別な色を用いた表示、特別なパターンを用いた表示、または動的な表示のうちの少なくとも１つである、
請求項９から１３のいずれか一項に記載の電子デバイス。
【請求項１５】
前記１または複数のプロセッサが、前記コーディネートファイルと前記第１のマルチメディアファイルセットにおける前記別のマルチメディアファイルとを区別して表示するべく、前記コーディネートファイルに対して特別なマーキングを行うことは、
前記１または複数のプロセッサが、前記コーディネートファイルと前記第１のマルチメディアファイルセットにおける前記別のマルチメディアファイルを区別して表示するべく、前記コーディネートファイル以外の前記第１のマルチメディアファイルセットにおける前記別のマルチメディアファイルを前記コーディネートファイルの下に隠すこと
を含む、
請求項９から１３のいずれか一項に記載の電子デバイス。
【請求項１６】
前記過去のユーザ操作は、閲覧、編集、共有、マーキング、または使用のうちの少なくとも１つである、
請求項９から１５のいずれか一項に記載の電子デバイス。
【請求項１７】
コンピュータプログラムであって、
前記コンピュータプログラムは、命令を含み、
前記コンピュータプログラムは、ディスプレイおよび１または複数のアプリケーションプログラムを含む電子デバイスにより前記命令が実行されると、前記電子デバイスに請求項１から８のいずれか一項に記載の方法を行わせ、
前記ディスプレイは、タッチ感応面および表示パネルを含む、
コンピュータプログラム。
【国際調査報告】
2019508784.tif 000030
2019508784.tif 000031
2019508784.tif 000032
2019508784.tif 000033
2019508784.tif 000034
2019508784.tif 000035